(57)【要約】  静的画像又は動的画像を含む候補画像を配置した提示画面を第１表示装置（２３０）に提示する提示部（２２１）と、前記第１表示装置（２３０）に表示された前記提示画面における前記候補画像の中から、前記静的画像と前記動的画像とを配置可能な配置領域であって、第２表示装置（３３０）に表示されるメニュー画面に設けられる前記配置領域に配置される画像を選択する選択要求を受け付ける選択受付部（２２２）と、前記選択要求に応じて、前記メニュー画面の前記配置領域と、前記配置領域に配置される前記静的画像又は前記動的画像を含む配置画像との関係を示すレイアウト情報であって、前記第２表示装置（３３０）への前記メニュー画面の表示制御に用いられる前記メニュー画面の前記レイアウト情報の変更を制御する変更制御部（２２３）と、を有する。
2019156156.tif 000002
【特許請求の範囲】
【請求項１】
第１表示装置と、第２表示装置と、第１の情報処理装置としての情報処理装置と、を備える表示システムにおける前記情報処理装置であって、
品目についての準静的に変化する情報又は変化しない情報を示す静的情報を表す静的画像又は品目についての動的に変化する情報を示す動的情報を表す動的画像を含む候補画像を配置した提示画面を前記第１表示装置に提示する提示部と、
前記第１表示装置に表示された前記提示画面における前記候補画像の中から、前記静的画像と前記動的画像とを配置可能な配置領域であって、前記第２表示装置に表示されるメニュー画面に設けられる前記配置領域に配置される画像を選択する選択要求を受け付ける選択受付部と、
前記選択要求に応じて、前記メニュー画面の前記配置領域と、前記配置領域に配置される前記静的画像又は前記動的画像を含む配置画像との関係を示すレイアウト情報であって、前記第２表示装置への前記メニュー画面の表示制御に用いられる前記メニュー画面の前記レイアウト情報の変更を制御する変更制御部と、を有する、
情報処理装置。
【請求項２】
前記提示部は、前記メニュー画面と同じ配置領域が設けられた選択画面を前記第１表示装置に表示し、前記選択画面の前記配置領域に配置される配置画像が選択された場合に、選択された前記配置画像を置き換える候補として前記候補画像を提示する前記提示画面を、前記第１表示装置に表示する、
請求項１に記載の情報処理装置。
【請求項３】
前記提示部は、前記選択画面の前記配置領域に配置される前記配置画像が選択された場合に、選択された前記配置画像を置き換える候補として前記候補画像を提示する前記提示画面の提示画面用レイアウト情報の取得要求を前記提示画面用レイアウト情報を管理する第２の情報処理装置に送信する、
請求項２に記載の情報処理装置。
【請求項４】
前記提示部は、前記提示画面の提示画面用レイアウト情報を管理する第２の情報処理装置から受信した、前記候補画像の画像データと、前記提示画面用レイアウト情報と、に基づいて、前記第１表示装置に前記提示画面を提示する、
請求項１〜３のいずれか１項に記載の情報処理装置。
【請求項５】
前記変更制御部は、前記メニュー画面の前記レイアウト情報を管理する第２の情報処理装置に対して、前記選択要求で指定された前記候補画像を前記配置画像として前記メニュー画面に配置させるように、前記レイアウト情報の変更を指示する、
請求項１〜４のいずれか１項に記載の情報処理装置。
【請求項６】
第１表示装置と、第２表示装置と、情報処理装置と、を備える表示システムにおける前記情報処理装置であって、
品目についての準静的に変化する情報又は変化しない情報を示す静的情報を表す静的画像と品目についての動的に変化する情報を示す動的情報を表す動的画像とを配置可能な配置領域であって、前記第２表示装置に表示されるメニュー画面に設けられる前記配置領域に配置される前記静的画像又は前記動的画像を含む配置画像の画像データを記憶する画像記憶部と、
前記メニュー画面の前記配置領域と、前記配置領域に配置される前記配置画像との関係を示すレイアウト情報であって、前記第２表示装置への前記メニュー画面の表示制御に用いられる前記メニュー画面の前記レイアウト情報を記憶するレイアウト記憶部と、
前記メニュー画面の前記配置領域に配置される前記配置画像を前記静的画像又は前記動的画像を含む候補画像に変更することを指示する変更指示を受け付け、前記変更指示に応じて、前記レイアウト記憶部に記憶される前記レイアウト情報を変更する変更部と、
前記レイアウト記憶部に記憶される前記レイアウト情報と、前記レイアウト情報で指定された配置画像であって前記画像記憶部に記憶される前記配置画像の画像データと、を用いて、前記メニュー画面を前記第２表示装置に表示させる制御を行う表示制御部と、を有する、
情報処理装置。
【請求項７】
前記画像記憶部は、前記候補画像の画像データを記憶し、
前記候補画像に含める静的画像を登録する登録要求を受け付ける登録受付部と、
前記登録要求に係る前記静的画像の画像データを前記画像記憶部に格納する格納部と、を有する、
請求項６に記載の情報処理装置。
【請求項８】
前記レイアウト記憶部は、前記第１表示装置に表示される提示画面であって、前記候補画像を配置した前記提示画面のレイアウト情報である提示画面用レイアウト情報を記憶し、
前記表示制御部は、前記画像記憶部に記憶される前記候補画像の画像データと、前記レイアウト記憶部に記憶される前記提示画面用レイアウト情報と、を用いて、前記提示画面を前記第１表示装置に表示させる制御を行う、
請求項６又は請求項７に記載の情報処理装置。
【請求項９】
第１表示装置と、第２表示装置と、を備える表示システムであって、
品目についての準静的に変化する情報又は変化しない情報を示す静的情報を表す静的画像又は品目についての動的に変化する情報を示す動的情報を表す動的画像を含む候補画像を配置した提示画面を前記第１表示装置に提示する提示部と、
前記第１表示装置に表示された前記提示画面における前記候補画像の中から、前記静的画像と前記動的画像とを配置可能な配置領域であって、前記第２表示装置に表示されるメニュー画面に設けられる前記配置領域に配置される画像を選択する選択要求を受け付ける選択受付部と、
前記選択要求に応じて、前記メニュー画面の前記配置領域と、前記配置領域に配置される前記静的画像又は前記動的画像を含む配置画像との関係を示すレイアウト情報であって、前記第２表示装置への前記メニュー画面の表示制御に用いられる前記メニュー画面の前記レイアウト情報の変更を制御する変更制御部と、
前記変更制御部による制御により変更された前記メニュー画面のレイアウト情報と、前記配置画像の画像データと、に基づいて、前記第２表示装置に前記メニュー画面を表示させる出力部と、を有する、
表示システム。
【請求項１０】
前記配置画像及び前記候補画像の画像データを記憶する画像記憶部と、
前記レイアウト情報を記憶するレイアウト記憶部と、
前記レイアウト情報の変更の制御により送信された変更指示に応じて、前記レイアウト記憶部に記憶される前記レイアウト情報を変更する変更部と、
前記画像記憶部に記憶される前記配置画像の画像データと、前記レイアウト記憶部に記憶される前記レイアウト情報とを前記出力部に転送する転送部と、を有する、
請求項９に記載の表示システム。
【請求項１１】
前記静的情報が、前記品目の名称、又は前記品目の外観の画像を含み、
前記動的情報が、前記品目の売り切れ状態、準備中状態、値引き状態、残り品数、及び在庫数よりなる群から選ばれる少なくとも一つを含む、
請求項９又は１０に記載の表示システム。
【請求項１２】
前記品目が、食堂で提供される商品である、
請求項９〜１１のいずれか１項に記載の表示システム。
【請求項１３】
第１表示装置と、第２表示装置と、コンピュータと、を備える表示システムにおける前記コンピュータに、
品目についての準静的に変化する情報又は変化しない情報を示す静的情報を表す静的画像又は品目についての動的に変化する情報を示す動的情報を表す動的画像を含む候補画像を配置した提示画面を前記第１表示装置に提示し、
前記第１表示装置に表示された前記提示画面における前記候補画像の中から、前記静的画像と前記動的画像とを配置可能な配置領域であって、前記第２表示装置に表示されるメニュー画面に設けられる前記配置領域に配置される画像を選択する選択要求を受け付け、
前記選択要求に応じて、前記メニュー画面の前記配置領域と、前記配置領域に配置される前記静的画像又は前記動的画像を含む配置画像との関係を示すレイアウト情報であって、前記第２表示装置への前記メニュー画面の表示制御に用いられる前記メニュー画面の前記レイアウト情報の変更を制御する、
処理を実行させる、プログラム。
【請求項１４】
第１表示装置と、第２表示装置と、コンピュータと、を備える表示システムにおける前記コンピュータに、
品目についての準静的に変化する情報又は変化しない情報を示す静的情報を表す静的画像と品目についての動的に変化する情報を示す動的情報を表す動的画像とを配置可能な配置領域であって、前記第２表示装置に表示されるメニュー画面に設けられる前記配置領域に配置される前記静的画像又は前記動的画像を含む配置画像の画像データを画像記憶部に記憶し、
前記メニュー画面の前記配置領域と、前記配置領域に配置される前記配置画像との関係を示すレイアウト情報であって、前記第２表示装置への前記メニュー画面の表示制御に用いられる前記メニュー画面の前記レイアウト情報をレイアウト記憶部に記憶し、
前記メニュー画面の前記配置領域に配置される前記配置画像を前記静的画像又は前記動的画像を含む画像に変更することを指示する変更指示を受け付け、前記変更指示に応じて、前記レイアウト記憶部に記憶される前記レイアウト情報を変更し、
前記レイアウト記憶部に記憶される前記レイアウト情報と、前記レイアウト情報で指定された配置画像であって前記画像記憶部に記憶される前記配置画像の画像データと、を用いて、前記メニュー画面を前記第２表示装置に表示させる制御を行う、
処理を実行させる、プログラム。
【請求項１５】
第１表示装置と、第２表示装置と、を備える表示システムにおける表示方法であって、
前記第２表示装置が、品目についての準静的に変化する情報又は変化しない情報を示す静的情報を表す静的画像と品目についての動的に変化する情報を示す動的情報を表す動的画像とを配置可能な配置領域を設けたメニュー画面を表示し、
前記第１表示装置が、前記メニュー画面と同じ配置領域が設けられた選択画面を表示した状態で、前記選択画面に設けられた配置画像のうちのいずれかの画像が選択されると、前記メニュー画面の前記配置領域に配置される配置画像であって前記選択された画像に対応する前記配置画像の置き換え候補である候補画像を提示する提示画面を表示し、
前記提示画面において候補画像が選択されると、前記第１表示装置に表示される前記選択画面の前記配置領域と、前記第２表示装置に表示される前記メニュー画面の前記配置領域と、が同じ表示内容となるように、前記第１表示装置が、前記選択画面の前記配置領域を更新させた選択画面を表示するとともに、前記第２表示装置が、前記メニュー画面の前記配置領域を更新させたメニュー画面を表示する、
表示方法。
【発明の詳細な説明】
【技術分野】
【０００１】
本発明は、情報処理装置、表示システム、プログラム、及び表示方法に関する。
【背景技術】
【０００２】
食堂、フードコート、レストラン等の飲食店において、提供する商品の品目及びこの商品に関する情報を表す紙又は看板等のメニューが配置されて、飲食店の利用者の閲覧に供されている。飲食店では、商品の売れ行きに応じて、メニューに売り切れであることを表示したり、あるいはメニューの変更を行うことを表示したりすることが求められる。そこで、紙又は看板のメニューでは、表記を直接に書き換えたり、該当箇所の表記を変更するための手書き又は印刷物の紙又はシート等をメニューの上から貼り付けたりすることで、表示の変更を行っていた。しかしながら、このような紙又は看板のメニューでは、表示の変更に手間をかける必要がある。また、調理場から離れた場所にメニューが配置されている場合には変更の都度メニューまでの移動が必要になったり、複数のメニューが複数個所に配置されている場合には個別に変更が必要となったりする等の事情があり、利便性の向上が求められていた。【０００３】
近年、このようなメニューを液晶ディスプレイや電子ペーパ等の表示装置に表示する表示システム（デジタルサイネージ）が用いられている。特許文献１では、食堂メニューを表示する電子ペーパと、無線機を介してこの電子ペーパの表示内容を変更する管理装置とを備える表示システムが開示されている。特許文献１の表示システムでは、ユーザーが管理装置に食堂メニューの売り切れ又は変更が生じたことを入力すると、管理装置によって電子ペーパの内容が変更されるようになっている。このような表示システムを用いることで、紙又は看板のメニューよりも比較的に簡単に表示を変更することができる。
【先行技術文献】
【特許文献】
【０００４】
【特許文献１】特開２０１５−１９１０８９号公報
【発明の概要】
【発明が解決しようとする課題】
【０００５】
ここで、通常、飲食店では、調理、配膳、接客等をするスタッフがメニュー画面の表示の変更に携わることが多いため、メニュー画面の表示の変更は、他の業務と掛け持ちして行われる。また、飲食店の繁忙時間では、表示の変更を行うための作業時間を十分にとれない場合がある。また、メニュー画面の表示の変更は、デジタルサイネージを初めとする電子機器の操作に慣れていない者が行う場合がある。これに対して、特許文献１では、食堂メニューの売り切れが生じた場合には、マウスを用いて入力画面の「販売」の欄をクリックすることで、販売に関する情報の設定を「販売」から「売り切れ」に変更を行う、トグル式の変更方式をとっている。また、特許文献１では、食堂メニューの変更が生じた場合には、キーボードを用いて変更後の献立名、価格、栄養値等を入力することで変更を行っている。このような特許文献１の技術では、売り切れに変更操作をする際の操作箇所及び操作内容が分かり辛かったり、メニューの変更操作をする際に文字の入力動作が必要であったりと、メニュー画面の表示の変更を行う際の操作性が十分とは言い難かった。【０００６】
本発明は、上記課題に鑑みてなされたものである。すなわち、１つの側面では、本発明は、表示システムにおいて、直感的且つ平易な操作が可能となり、操作ミスを軽減させることを目的とする。
【課題を解決するための手段】
【０００７】
本発明は、１つの側面では、情報処理装置は、第１表示装置と、第２表示装置と、情報処理装置と、を備える表示システムにおける前記情報処理装置であってよい。前記情報処理装置は、提示部と、選択受付部と、変更制御部と、を有してよい。前記提示部は、品目についての準静的に変化する情報又は変化しない情報を示す静的情報を表す静的画像又は品目についての動的に変化する情報を示す動的情報を表す動的画像を含む候補画像を配置した提示画面を前記第１表示装置に提示してよい。前記選択受付部は、前記第１表示装置に表示された前記提示画面における前記候補画像の中から、前記静的画像と前記動的画像とを配置可能な配置領域であって、前記第２表示装置に表示されるメニュー画面に設けられる前記配置領域に配置される画像を選択する選択要求を受け付けてよい。前記変更制御部は、前記選択要求に応じて、前記メニュー画面の前記配置領域と、前記配置領域に配置される前記静的画像又は前記動的画像を含む配置画像との関係を示すレイアウト情報であって、前記第２表示装置への前記メニュー画面の表示制御に用いられる前記メニュー画面の前記レイアウト情報の変更を制御してよい。
【発明の効果】
【０００８】
本発明によれば、１つの側面では、表示システムにおいて、直感的且つ平易な操作が可能となり、操作ミスを軽減させることができる。
【図面の簡単な説明】
【０００９】
【図１】実施形態に係る表示システムのハードウェア構成の例を示すブロック図である。
【図２】実施形態に係る表示システムの機能構成の例を示すブロック図である。
【図３】実施形態に係る表示システムにおけるメニュー画面の一例を示す図である。
【図４】実施形態に係る表示システムにおけるメニュー画面において、配置画像が静的画像に変更された場合の一例を示す図である。
【図５】実施形態に係る表示システムにおけるメニュー画面において、配置画像が動的画像に変更された場合の一例を示す図である。
【図６】実施形態に係る表示システムにおける選択画面の一例を示す図である。
【図７】実施形態に係る表示システムにおける選択画面において、配置画像が静的画像に変更された場合の一例を示す図である。
【図８】実施形態に係る表示システムにおける選択画面において、配置画像が動的画像に変更された場合の一例を示す図である。
【図９】実施形態に係る表示システムにおける提示画面の一例を示す図である。
【図１０】実施形態に係る表示システムにおける管理画面の一例を示す図である。
【図１１】実施形態に係る表示システムの選択装置における処理の一例を示すフローチャートである。
【図１２】実施形態に係る表示システムの受信装置における処理の一例を示すフローチャートである。
【図１３】実施形態に係る表示システムの管理装置における処理の一例を示すフローチャートである。
【図１４】変形例に係る表示システムのハードウェア構成の例を示すブロック図である。
【図１５】変形例に係る表示システムの機能構成の例を示すブロック図である。
【発明を実施するための形態】
【００１０】
以下、本件を実施するための形態について、図面を参照して詳細に説明する。下記の実施形態はあくまでも例示に過ぎず、この実施形態で明示しない種々の変形や技術の適用を排除する意図はない。本実施形態の各構成は、その趣旨を逸脱しない範囲で種々変形して実施することができる。また、必要に応じて取捨選択することができ、適宜組み合わせることもできる。
【００１１】
［１．構成］
本実施形態に係る表示システム及び選択装置の構成について、図１〜図１０を参照して説明する。
本実施形態の表示システムは、静的画像と動的画像とを配置可能な配置領域に静的画像又は動的画像を配置したメニュー画面を表示するものである。また、本実施形態の選択装置は、この表示システムに用いられて、配置領域に配置される画像を選択するためのものである。本実施形態では、品目が、食堂で提供される商品である場合を例に挙げて説明する。静的画像と動的画像については後述する。
【００１２】
［１−１．ハードウェア構成］
図１に示すように、本実施形態に係る表示システム１００は、少なくとも、第１表示装置及び第２表示装置を備えている。また、表示システム１００は、第１表示装置に対する表示制御を行う選択装置２００を備えてよい。表示システム１００は、さらに第２表示装置に対する表示制御を行う受信装置３００を備えてよい。また、表示システム１００は、さらに第１表示装置又は第２表示装置に表示される画面のレイアウト情報を管理する管理装置４００を備えてよい。選択装置２００は、（第１の）情報処理装置又はコンピュータの一例であり、メモリ１０ａ、中央処理装置（ＣＰＵ；Central Processing Unit）２０ａ、表示装置３０ａ、及び通信モジュール４０ａを備え、これらはバス（図示略）を介して相互に通信可能に接続されている。受信装置３００は、情報処理装置又はコンピュータの一例であり、メモリ１０ｂ、ＣＰＵ２０ｂ、表示装置３０ｂ、及び通信モジュール４０ｂを備えている。管理装置４００は、（第２の）情報処理装置又はコンピュータの一例であり、メモリ１０ｃ、ＣＰＵ２０ｃ、表示装置３０ｃ、及び通信モジュール４０ｃを備えている。また、管理装置４００は、キーボード、マウス等の入力装置（図示略）をさらに備えている。なお、本明細書においては、メモリ１０ａ，１０ｂ，１０ｃを特に区別しない場合には、「メモリ１０」として符号を付して説明する場合がある。同様に、ＣＰＵ２０ａ，２０ｂ，２０ｃと、表示装置３０ａ，３０ｂ，３０ｃと、通信モジュール４０ａ，４０ｂ，４０ｃとを特に区別しない場合には、それぞれ「ＣＰＵ２０」、「表示装置３０」、及び「通信モジュール４０」として同じ符号を付して説明する場合がある。
【００１３】
選択装置２００、受信装置３００、及び管理装置４００は、上述した要素を備えるデスクトップコンピュータ又はラップトップコンピュータ等のパーソナルコンピュータ（ＰＣ）、タブレット、スマートフォン、セットトップボックス等のコンピュータとして構成されている。本実施形態では、選択装置２００がタブレットであり、受信装置３００がディスプレイを備えるセットトップボックスであり、管理装置４００がパーソナルコンピュータである場合を例に挙げて説明する。受信装置３００は、ディスプレイにメニュー画面を表示するデジタルサイネージとして機能する。管理装置４００は通信モジュール４０ｃを介してネットワーク９０に接続して、ネットワークに接続された通信端末とデータ転送を行うサーバとしても機能する。
【００１４】
選択装置２００、受信装置３００、及び管理装置４００は、携帯電話通信網又はＷｉ−Ｆｉ（登録商標）等の通信規格に基づいて、ネットワーク９０を介して、互いに信号を送受信する。ネットワーク９０は、複数のコンピュータ又はサーバを接続して電子データの伝送を行う通信回線網であり、例えば、無線又は有線によるＬＡＮ（Local Area Network）、イントラネット、イーサネット（登録商標）、インターネット、電話通信回線ネットワーク、光ファイバー通信ネットワーク、ケーブル通信ネットワーク、移動体通信網ネットワーク、又は衛星通信ネットワークである。または、ネットワーク９０は、これらが複合された通信回線網である。
【００１５】
なお、本実施形態において、コンピュータとは、ハードウェアとオペレーティングシステムとを含む概念であり、オペレーティングシステムの制御の下で動作するハードウェアを意味している。また、オペレーティングシステムが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取るための手段とを備えている。
以下、各構成要素を詳述する。
【００１６】
＜メモリ＞
メモリ１０は、種々のデータやプログラムを格納するデータ記憶装置である。本実施形態では、メモリ１０がデータ記憶装置として機能するが、データ記憶装置は、例えば、ＲＡＭ（Random Access Memory）等の揮発性メモリや、ＲＯＭ、フラッシュメモリ等の不揮発性メモリ、またはＨＤＤ（Hard Disk Drive）、ＳＳＤ（Solid State Drive）、光ディスク等の記憶装置によって構成される。
【００１７】
＜ＣＰＵ＞
ＣＰＵ２０は、種々の制御や演算を行なう処理装置であり、メモリ１０に格納された後述する本件のプログラムを読み出して実行することにより、種々の機能を実現する。そして、ＣＰＵ２０が、このプログラムを実行することにより、図２で示すように、処理部２２０，３２０，４２０の各機能手段としてそれぞれ機能する。なお、処理部２２０，３２０，４２０における処理機能の実現手段はプログラムに限定されず、選択装置２００、受信装置３００、管理装置４００に搭載されるハードウェアにより実現されてもよい。例えば、処理部２２０，３２０，４２０を、ＲＯＭ，ＲＡＭ，ＣＰＵ等を内蔵したワンチップマイコンとして構成してもよいし、あるいは、ＤＳＰ（Digital Signal Processor）、ＦＰＧＡ（Field-Programmable Gate Array）やＡＳＩＣ（Application Specific Integrated Circuit）等の電子回路として構成してもよい。
【００１８】
＜表示装置＞
表示装置３０は、例えば、ＣＲＴ（Cathode Ray Tube）、ＬＣＤ（Liquid Crystal Display）、有機ＥＬディスプレイ（Organic Light-Emitting Diode Display）、ＬＥＤディスプレイ、電子ペーパ等のディスプレイである。表示装置３０は、処理部２２０，３２０，４２０で処理された情報、及び記憶部２１０，３１０，４１０に格納される情報等を表示することができる。本実施形態では、表示装置３０は、ユーザーからの入力操作を受け付けるためのＧＵＩ（Graphical User Interface）を表示することで、入力部としても機能する。中でも、表示装置３０ａは、データを表示する表示部２３０としての機能と、画面の操作または情報を入力するための入力部としての機能とを併せ持つ、タッチパネルディスプレイである。
【００１９】
［１−２．機能構成］
図２に示すように、表示システム１００を機能的に表すと、選択装置２００、受信装置３００、及び管理装置４００を備えて構成される。選択装置２００を機能的に表すと、記憶部２１０、処理部２２０、表示部２３０、及び通信部２４０を備えて構成される。また、受信装置３００を機能的に表すと、記憶部３１０、処理部３２０、表示部３３０、及び通信部３４０を備えて構成される。また、管理装置４００を機能的に表すと、記憶部４１０、処理部４２０、表示部４３０、及び通信部４４０を備えて構成される。
以下、各構成要素を詳述する。
【００２０】
＜記憶部＞
記憶部２１０，３１０，４１０は、それぞれメモリ１０ａ，１０ｂ，１０ｃを用いて、ファイルシステム又はデータベースシステムによりデータを格納している。本実施形態における記憶部２１０，３１０，４１０は、それぞれレイアウト記憶部２１１，３１１，４１１、及び画像記憶部２１２，３１２，４１２を備えて構成される。記憶部２１０，３１０，４１０は、例えば、後述するレイアウト情報、画像データ等のデータを格納することができる。
【００２１】
また、記憶部２１０は、ＣＰＵ２０ａに実行させることで、後述する処理部２２０の提示部２２１、選択受付部２２２、及び変更指示部２２３としてそれぞれ機能させる制御プログラムを予め保存する。また、記憶部３１０は、ＣＰＵ２０ｂに実行させることで、後述する処理部３２０の出力部３２１として機能させる表示プログラムを予め保存する。また、記憶部４１０は、ＣＰＵ２０ｃにそれぞれ実行させることで、後述する変更部４２１、登録受付部４２３、格納指示部４２４、格納部４２５、及び転送部４２６としてそれぞれ機能させる管理プログラムを予め保存する。これらのプログラムをあわせて、本件のプログラム（表示用プログラムともいう。）と称する。記憶部２１０，３１０，４１０の各構成要素の説明は後述する。なお、表示用プログラムは、ＣＰＵ２０ａに実行させることで、少なくとも提示部２２１、選択受付部２２２、及び変更指示部２２３として機能させるプログラムとして構成される。
【００２２】
＜処理部＞
処理部２２０，３２０，４２０は、それぞれＣＰＵ２０ａ，２０ｂ，２０ｃで演算処理される機能部位であり、各機能は個別のプログラムとして構成されている。図２に示すように、処理部２２０は、提示部２２１、選択受付部２２２、及び変更指示部２２３としてそれぞれ機能する。また、処理部３２０は、出力部３２１として機能する。また、処理部４２０は、変更部４２１、登録画面提供部４２２、登録受付部４２３、格納指示部４２４、格納部４２５、及び転送部４２６としてそれぞれ機能する。処理部２２０，３２０，４２０の各部の説明は後述する。
【００２３】
本件のプログラムは、例えばフレキシブルディスク、ＣＤ（ＣＤ−ＲＯＭ，ＣＤ−Ｒ，ＣＤ−ＲＷ等）、ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ  ＤＶＤ等）、ブルーレイディスク、磁気ディスク、光ディスク、光磁気ディスク、ＵＳＢメモリ、ＳＤメモリカード等の、コンピュータ読取可能な記録媒体に記録された形態で提供される。そして、選択装置２００、受信装置３００、管理装置４００は、その記録媒体からプログラムを読み取って内部記憶装置（例えば、メモリ１０）又は外部記憶装置に転送し格納して用いる。または、それらのプログラムを、例えば磁気ディスク、光ディスク、光磁気ディスク等の図示しない記憶装置（記録媒体）に記録しておき、その記憶装置からネットワークを通じて、選択装置２００，受信装置３００，管理装置４００に提供するようにしてもよい。
【００２４】
＜表示部＞
表示部２３０，３３０，４３０は、それぞれ表示装置３０ａ，３０ｂ，３０ｃである。表示部３３０は、後述するメニュー画面７１０を表示することができる（図３〜図５参照）。また、表示部２３０は、後述する選択画面７２０及び提示画面７３０を表示することができる（図６〜図９参照）。また、表示部４３０は、後述する管理画面７４０を表示することができる（図１０参照）。表示部２３０又は表示装置３０ａは、第１表示装置の一例であり、表示部３３０又は表示装置３０ｂは、第２表示装置の一例であり、表示部４３０又は表示装置３０ｃは、第３表示装置の一例である。
【００２５】
＜通信部＞
通信部２４０，３４０，４４０は、有線又は無線の通信モジュール４０ａ〜４０ｃであり、例えば、携帯電話通信網又はＷｉ−Ｆｉ（Wireless Fidelity）（登録商標）等の通信規格に基づいて、データを含む信号を送受信する。これにより、選択装置２００、受信装置３００、及び管理装置４００は、互いにデータを含む信号を送受信することができる。なお、本実施形態では、選択装置２００、受信装置３００、及び管理装置４００は、ネットワーク９０を介して、データを含む信号を送受信する。
【００２６】
［１−３．記憶部］
＜レイアウト記憶部＞
レイアウト記憶部２１１，３１１，４１１は、レイアウト情報を記憶する。レイアウト情報は、配置領域と、配置領域に配置される静的画像又は動的画像との関係を示す情報である。レイアウト記憶部２１１，３１１，４１１は、配置領域と、配置領域に配置される静的画像又は動的画像とを対応付けて記憶する。レイアウト記憶部２１１は、選択画面７２０及び提示画面７３０に対応するレイアウト情報を記憶する。レイアウト記憶部３１１は、メニュー画面７１０に対応するレイアウト情報を記憶する。レイアウト記憶部４１１は、メニュー画面７１０、選択画面７２０、提示画面７３０、及び管理画面７４０に対応するレイアウト情報を記憶する。メニュー画面７１０、選択画面７２０、提示画面７３０、及び管理画面７４０に対応する各レイアウト情報は、それぞれ、メニュー画面用レイアウト情報、選択画面用レイアウト情報、提示画面用レイアウト情報、及び管理画面用レイアウト情報と称されてもよい。
【００２７】
本実施形態では、メニュー画面７１０はウェブページとして表示される。ウェブページは、例えば、ＨＴＭＬ（HyperText Markup Language）によって記述されたＨＴＭＬファイルによって構成される。ＨＴＭＬファイルは、メニュー画面に表示される文書の内容や、文字のサイズ、フォント、色等に関する情報を記述する。また、ＨＴＭＬファイルは、メニュー画面に表示される画像の指定や、画像の表示サイズ（幅、高さ）、表示位置（左揃え、中央揃え、右揃え等）、表示座標（Ｘ座標、Ｙ座標）等の配置領域に関する情報を記述する。これらの画像に関する情報は、例えばｉｍｇタグのｓｒｃ属性、ｈｅｉｇｈｔ属性、ｗｉｄｔｈ属性、ａｌｉｇｎ属性等によって指定することができる。または、スタイルシートを用いたｐｏｓｉｔｉｏｎプロパティによって指定することができる。あるいは、ウェブページは、ＨＴＭＬ、ＸＭＬ（Extensible Markup Language）、ＸＨＴＭＬ（Extensible HyperText Markup Language）等のマークアップ言語によって記述された構造化文書ファイルと、ＣＳＳ（Cascading Style Sheets）等のスタイルシートファイルとの組み合わせによって構成してもよい。このように、レイアウト情報（例えばメニュー画面７１０のレイアウト情報）は、受信装置３００による表示部３３０へのメニュー画面７１０の表示制御又は表示に用いられる情報である。なお、後述する選択画面７２０、提示画面７３０、及び管理画面７４０も、メニュー画面７１０と同様にウェブページとして表示される。
【００２８】
本実施形態では、選択装置２００、受信装置３００、及び管理装置４００は、それぞれ、表示部２３０，３３０，及び４３０に表示させる表示制御を行う。表示制御は、レイアウト情報及び画像データに基づき、レイアウト情報に対応するメニュー画面７１０、選択画面７２０、提示画面７３０、又は管理画面７４０を、表示部２３０，３３０，又は４３０に表示させる処理を含んでよい。
【００２９】
本実施形態において、レイアウト情報とは、上述したようなウェブページに設けられる配置領域と、この配置領域に配置される画像とに関する情報とを少なくとも含んでいる。また、レイアウト情報は、ウェブページに表示される文字に関する情報を含んでいてもよい。そして、レイアウト情報は、ＨＴＭＬファイル、ＸＭＬファイル、ＸＨＴＭＬファイル、スタイルシートファイル等のレイアウトファイルに記述されている。そして、レイアウト記憶部２１１，３１１，４１１は、このレイアウトファイルを格納することで、レイアウト情報を記憶している。なお、メニュー画面に配置される配置領域の数は特に限定されず１以上であればよいが、通常２以上である。配置領域の数が２以上であることで、配置領域に配置された複数の画像をメニュー画面に一覧表示することができる。本実施形態では、メニュー画面に配置される配置領域の数が４である場合を例示する。
【００３０】
＜画像記憶部＞
画像記憶部２１２，３１２，４１２は、メニュー画面７１０、選択画面７２０、提示画面７３０、及び管理画面７４０に表示する画像の画像データを保存することができる。画像データは、特に限定されないが、例えばｊｐｇ、ｐｎｇ、ｇｉｆ、ｂｍｐ等のファイル形式の画像ファイルを用いることができる。画像データには個別にファイル名が振られており、レイアウトファイル中でファイル名を記述することで、対応する画像データの画像を所定の配置領域に表示することができる。メニュー画面７１０、選択画面７２０、提示画面７３０、及び管理画面７４０に表示する画像には、静的画像と動的画像が含まれる。静的画像と動的画像を特に区別しない場合には、配置画像と総称する。
【００３１】
静的画像とは、品目についての準静的に変化する情報又は変化しない情報を示す静的情報を表す画像である。変化しない情報とは、時間の経過につれて変化しない情報をいい、品目に固有の情報や、品目に含まれるものからなる群に共通する情報をいう。このような静的情報としては、例えば、品目の名称、品目をカテゴライズするための区分等が挙げられる。区分としては、品目が食堂で提供される商品（食品）である場合には、例えば、和食、洋食、中華、カレー、ラーメン、うどん、そば、ランチ、健康食等の食品の種類が挙げられる。準静的に変化する情報としては、品目に含まれるものについて個体差程度の差異を有する情報、変化の程度が小さい情報、数日単位以上のスパンで変化する情報をいう。このような静的情報としては、例えば、品目の外観の画像、アレルギー情報、栄養成分情報（エネルギー、たんぱく質、脂質、炭水化物、コレステロール、食物繊維、食塩相当量、ミネラル、ビタミン等）、アレルゲン情報、原産地情報、生産者情報、定価等が挙げられる。静的画像は、これらの静的情報の１種を単独で表すものであってもよく、２種以上を組み合わせて表すものであってもよい。これらの中でも、静的画像としては、品目の名称、又は外観の画像を表示することが好ましく、品目の名称と外観の画像との両方を表示することがより好ましい。これにより、メニュー画面を看取する者の視覚に訴えて品目についての印象を強めて、メニュー画面を看取する者が複数の品目の中からその品目を選択するかどうかの判断に寄与することができる。
【００３２】
動的画像とは、品目についての動的に変化する情報を示す動的情報を表す画像である。動的に変化する情報とは、秒単位、分単位、時間単位、日単位等のスパンで変化する情報をいう。このような動的情報としては、例えば、品目の売り切れ状態、準備中状態、値引き状態、残り品数、在庫数等が挙げられる。動的画像は、これらの動的情報の１種を単独で表すものであってもよく、２種以上を組み合わせて表すものであってもよい。これらの中でも、動的画像としては、品目の売り切れ状態を表示することがこのましい。これにより、時間の経過につれて変化する品目の販売状態と売り切れ状態とをメニュー画面に反映することで、メニュー画面を看取する者がリアルタイムで品目を選択する際の判断に寄与することができる。したがって、例えばメニュー画面に食堂で提供する食品を表示する場合において、食品を注文する前、又は食品を注文するために列を成して待機している者が、メニュー画面を見て食品の売り切れ状態を知ることで、注文する食品を決めるための一助とすることができる。すなわち、メニュー画面で売り切れ状態が表示された場合には、待機しながらメニュー画面を看取していた者は、注文する食品を、売り切れ状態が表示された食品以外の他の品目に即座に切り替えることができる。
【００３３】
［１−４．画面構成］
ここで、図３〜図１０を参照して、本実施形態の表示システム１００におけるメニュー画面７１０、選択画面７２０、提示画面７３０、及び管理画面７４０の画面構成について説明する。受信装置３００は、表示部３３０にメニュー画面７１０を表示する。選択装置２００は、表示部２３０に選択画面７２０及び提示画面７３０を表示する。管理装置４００は、表示部４３０に管理画面７４０を表示する。
【００３４】
メニュー画面７１０は、その全体が表示部３３０の一画面中に表示されることが好ましい。この場合、メニュー画面７１０の一画面に含まれる情報量が増して、メニュー画面７１０に表示される全ての画像を一覧することができ、メニュー画面７１０に含まれる情報を速やかに把握することができる。また、メニュー画面７１０は、その全体のうち一部分が表示部３３０の一画面中にスクロール表示されてもよい。この場合、例えば、メニュー画面７１０に含まれる一部分を拡大表示するとともに、表示される部分を切り替えながら連続的又は断続的に表示することで、メニュー画面７１０の全体を表示することができる。この場合、メニュー画面７１０の全体を表示部３３０の一画面中に表示する場合と比して、表示部３３０に表示される画像が大きく表示されるため、画像の視認性を増すことができる。本実施形態では、メニュー画面７１０は、その全体が表示部３３０の一画面中に表示される場合を例示する。
【００３５】
＜メニュー画面＞
図３に示すように、メニュー画面７１０には、配置領域７１１ａ〜７１１ｄに、それぞれ静的画像６１０ａ〜６１０ｄが配置されている。静的画像６１０ａ〜６１０ｄは、品目についての時間の経過につれて変化しない情報を示す静的情報として、品目の名称６１１ａ〜６１１ｄをそれぞれ含んでいる。また、静的画像６１０ａ〜６１０ｄは、品目についての準静的に変化する情報を示す静的情報として、品目の外観の画像６１２ａ〜６１２ｄをそれぞれ含んでいる。ここでは、２×２の格子状に設けられた４つの配置領域７１１ａ〜７１１ｄのうち、左上に設けられた配置領域７１１ａに、品目の名称６１１ａとして「茄子と鶏肉のさっぱり煮」という文字と、品目の外観の画像６１２ａとして茄子と鶏肉のさっぱり煮を撮影した写真画像とを含む静的画像６１０ａが配置されている。他の３つの配置領域７１１ｂ〜７１１ｄについても同様である。なお、本明細書において「Ｘ×Ｙ」とは、横にＸ列、縦にＹ列を配置した状態を表すものとする。
【００３６】
また、メニュー画面７１０には、配置領域７１１ａ〜７１１ｄと、これに配置される配置画像以外に、文字、図形、記号、画像等を表示することができる。本実施形態のメニュー画面７１０には、画面上部に年月日、曜日、及び区分等の文字情報を表示している。区分とは、例えば、朝食、昼食、夕食、夜食、残業食等の、メニュー画面７１０をカテゴライズする分類である。このような情報を表示することで、メニュー画面７１０を看取するものに対して、現在日時と、メニュー画面７１０がどのような情報を表示しているかを認識させることができる。このような表示は、選択画面７２０、管理画面７４０においても同様に行うことができる。
【００３７】
なお、本実施形態では、メニュー画面７１０に４つの配置領域７１１ａ〜７１１ｄが２×２の格子状に設けられている場合を例示したが、配置領域はこれに限定されない。メニュー画面７１０に表示される配置領域の数は、メニュー画面７１０及び表示装置３０ｂのサイズ及び解像度に応じて適宜設定することができ特に限定されないが、通常、４以上、好ましくは６以上、より好ましくは８以上、さらに好ましくは９以上、特に好ましくは１２以上であり、通常５０以下、好ましくは３０以下、より好ましくは２０以下、さらに好ましくは１５以下である。また、配置領域の配置方式は、配置領域の数、並びにメニュー画面７１０及び表示装置３０ｂのサイズ、解像度、及びアスペクト比に応じて適宜設定することができ特に限定されないが、例えば、１×４、２×３、２×４、３×３、３×４、４×４、４×５、５×５、５×６等が挙げられる。後述する選択画面７２０においても、同様に配置領域を設けることができる。
【００３８】
メニュー画面７１０は、後述するレイアウト情報の変更指示によって、配置領域７１１ａ〜７１１ｄに配置される配置画像を変更して表示することができる。具体的には、メニュー画面７１０は、配置領域７１１ａ〜７１１ｄに、配置領域７１１ａ〜７１１ｄに当初配置されていた静的画像６１０ａ〜６１０ｄ以外の静的画像を表示することができる。例えば、図４に示すように、配置領域７１１ａに、「茄子と鶏肉のさっぱり煮」を表す静的画像６１０ａに変えて、「冷やし海老天おろしうどん」を表す静的画像６１０ｆを表示することができる。この静的画像６１０ｆも、静的画像６１０ａ〜６１０ｄと同様に、品目の名称６１１ｆとして「冷やし海老天おろしうどん」という文字と、品目の外観の画像６１２ｆとして冷やし海老天おろしうどんを撮影した写真画像とを含んでいる。また、メニュー画面７１０は、配置領域７１１ａ〜７１１ｄに、動的画像を表示することができる。例えば、図５に示すように、配置領域７１１ａに、「茄子と鶏肉のさっぱり煮」を表す静的画像６１０ａを半透明表示して、「売り切れ」を表す動的画像６２０ａをオーバーレイするようにして表示することができる。なお、動的画像の表示は、これに限定されず、例えば当初配置されていた静的画像に変えて動的画像を表示してもよい。
【００３９】
＜選択画面＞
選択画面７２０は、メニュー画面７１０に表示される画像を変更するために、メニュー画面７１０と同様に配置された配置領域及び配置画像を表示して、これらの中から変更する対象を選択するための画面である。
【００４０】
図６に示すように、選択画面７２０には、メニュー画面７１０と同様にして、配置領域７２１ａ〜７２１ｄに、それぞれ静的画像６１０ａ〜６１０ｄが配置されている。選択画面７２０において、配置領域７２１ａ〜７２１ｄは、メニュー画面７１０の配置領域７１１ａ〜７１１ｄと同様の対応関係となる配置で設けられている。ここでは、２×２の格子状に設けられた４つの配置領域７２１ａ〜７２１ｄが設けられている。さらに、配置領域７２１ａ〜７２１ｄには、メニュー画面７１０の配置領域７１１ａ〜７１１ｄと同様に、それぞれ静的画像６１０ａ〜６１０ｄが表示されている。これにより、図３と図６に示すように、メニュー画面７１０と選択画面７２０との配置関係及び表示内容が一致して、選択画面７２０で選択されて変更を受ける配置領域及び配置画像が、メニュー画面７１０においても同様に選択されて変更を受けるようになっている。
【００４１】
選択画面７２０は、メニュー画面７１０と同様に、後述するレイアウト情報の変更指示によって、配置領域７２１ａ〜７２１ｄに配置される配置画像を変更して表示することができる。具体的には、選択画面７２０は、配置領域７２１ａ〜７２１ｄに、配置領域７２１ａ〜７２１ｄに当初配置されていた静的画像６１０ａ〜６１０ｄ以外の静的画像を表示することができる。例えば、図７に示すように、配置領域７２１ａに、「茄子と鶏肉のさっぱり煮」を表す静的画像６１０ａに変えて、「冷やし海老天おろしうどん」を表す静的画像６１０ｆを表示することができる。また、選択画面７２０は、配置領域７２１ａ〜７２１ｄに、動的画像を表示することができる。例えば、図８に示すように、配置領域７２１ａに、「茄子と鶏肉のさっぱり煮」を表す静的画像６１０ａを半透明表示して、「売り切れ」を表す動的画像６２０ａをオーバーレイするようにして表示することができる。このように、レイアウト情報の変更指示に応じて、図４と図７、図５と図８にそれぞれ示すように、選択画面７２０で選択されて変更を受ける配置領域及び配置画像が、メニュー画面７１０においても同様に選択されて変更を受けるようになっている。
【００４２】
選択画面７２０には、更新ボタン７２２が設けられている。更新ボタン７２２は、配置領域７２１ａ〜７２１ｄに画像を配置した選択画面７２０の状態を、メニュー画面７１０に反映するためのボタンである。ユーザーが更新ボタン７２２を操作することで、配置領域と配置画像との選択要求が送信されて、選択画面７２０に配置される画像と、メニュー画面７１０に配置される画像とを同期させることができる。
【００４３】
＜提示画面＞
提示画面７３０は、選択画面７２０で選択された配置領域に配置される画像を指定するために、候補画像を提示して、これらの中から変更する配置画像を指定するための画面である。候補画像は、少なくとも一つの静的画像又は動的画像を含むものであればよい。また、２以上の静的画像又は動的画像を含むものであることが好ましい。また、候補画像は、少なくも一つの静的画像、及び少なくとも一つの動的画像を含むものであることがより好ましい。候補画像が複数の静的画像又は動的画像を含むことで、メニュー画面を操作する者が指定することができる画像の選択肢を増やすことができ、利便性が向上する。中でも、候補画像が静的画像及び動的画像を含むことで、配置画像がバリエーションに富み、状況に応じて静的画像及び動的画像からいずれかの画像を指定することができるようになり、利便性がいっそう向上する。本実施形態では、候補画像が３つの静的画像及び１つの動的画像を含む場合を例示する。
【００４４】
図９に示すように、提示画面７３０には、配置領域７３１ａ〜７３１ｄに、それぞれ静的画像６１０ｅ，６１０ｆ、動的画像６２０ａ、静的画像６１０ａが配置されている。静的画像６１０ｅ，６１０ｆは、品目についての時間の経過につれて変化しない情報を示す静的情報として、品目の名称６１１ｅ，６１１ｆをそれぞれ含んでいる。また、静的画像６１０ｅ，６１０ｆは、品目についての準静的に変化する情報を示す静的情報として、品目の外観の画像６１２ｅ，６１２ｆをそれぞれ含んでいる。ここでは、２×２の格子状に設けられた４つの配置領域７３１ａ〜７３１ｄのうち、左上に設けられた配置領域７３１ａに、品目の名称６１１ｅとして「塩ラーメン」という文字と、品目の外観の画像６１２ｅとして塩ラーメンを撮影した写真画像とを含む静的画像６１０ｅが配置されている。また、配置領域７３１ａの上段には、静的画像６１０ｅが入れ替えの候補であることを示す「入れ替えメニュー１」の文字が表示されている。配置領域７３１ｂについても同様である。また、４つの配置領域７３１ａ〜７３１ｄのうち、右下に設けられた配置領域７３１ｄに、品目の名称６１１ａとして「茄子と鶏肉のさっぱり煮」という文字と、品目の外観の画像６１２ａとして茄子と鶏肉のさっぱり煮を撮影した写真画像とを含む静的画像６１０ａが配置されている。また、配置領域７３１ｄの上段には、静的画像６１０ａが現在のメニュー画面７１０及び選択画面７２０に表示されている画像であることを示す「現在のメニュー」の文字が表示されている。さらに、４つの配置領域７３１ａ〜７３１ｄのうち、左下に設けられた配置領域７３１ｃに、品目が売り切れている状態を示す「売り切れ」という文字を表す動的画像６２０ａが配置されている。また、配置領域７３１ｃの上段には、動的画像６２０ａが品目の売り切れ状態を表していることを示す「売り切れ」の文字が表示されている。このように、提示画面７３０には、配置領域７３１ａ〜７３１ｃに、選択画面７２０で選択された配置領域７２１ａ〜７２１ｄのいずれかについて、メニュー画面７１０及び選択画面７２０に新たに表示される候補画像として、静的画像６１０ｅ，６１０ｆ、及び動的画像６２０ａが表示される。また、配置領域７３１ｄに、メニュー画面７１０及び選択画面７２０に現在表示されている品目を表す候補画像として、静的画像６１０ａが表示される。
【００４５】
なお、本実施形態では、提示画面７３０に４つの配置領域７３１ａ〜７３１ｄが、２×２の格子状に設けられている場合を例示したが、配置領域はこれに限定されない。提示画面７３０に表示される配置領域の数及び配置方式は、メニュー画面７１０と同様に、提示画面７３０及び表示装置３０ａのサイズ及び解像度に応じて適宜設定することができる。また、本実施形態では、入れ替えの候補となる静的画像を表示する２つの配置領域７３１ａ，７３１ｂ、動的画像を表示する１つの配置領域７３１ｃ、現在表示されている静的画像を表示する１つの配置領域７３１ｄが設けられている場合を例示した。提示画面７３０に表示されるそれぞれの配置領域の数は適宜設定することができる。
【００４６】
＜管理画面＞
管理画面は、メニュー画面７１０、選択画面７２０、及び提示画面７３０に表示される配置画像を管理するための画面である。
【００４７】
図１０に示すように、管理画面７４０には、配置領域７４１ａ〜７４１ｄ，７４２ａ，７４２ｂ，７４３ａに、それぞれ静的画像６１０ａ〜６１０ｆ、動的画像６２０ａが配置されている。
【００４８】
管理画面７４０では、配置領域７４１ａ〜７４１ｄに、メニュー画面７１０の配置領域７１１ａ〜７１１ｄ、及び選択画面７２０の配置領域７２１ａ〜７２１ｄに初期表示するための静的画像を設定することができる。ここでは、「種類」の列に表示されたライン１〜４に対応して、「画像」の列に静的画像６１０ａ〜６１０ｄが縮小されて表示されている。また、これらに対応して、「メニュー選択」の列に画像アップボタン７４４ａ〜７４４ｄ、画像削除ボタン７４５ａ〜７４５ｄが設けられている。
【００４９】
画像アップボタン７４４ａ〜７４４ｄは、配置領域７４１ａ〜７４１ｄに設定する静的画像をアップロードするためのボタンである。ユーザーが画像アップボタン７４４ａ〜７４４ｄを操作することで、所望の画像データを指定するためのダイアログボックスが表示される。そして、ユーザーが画像データを指定すると、登録要求が送信されて、指定した画像データが管理装置４００にアップロードされて、この画像データの画像が配置領域７４１ａ〜７４１ｄに設定される。これにより、設定された画像を配置領域７４１ａ〜７４１ｄに表示することができる。さらに、設定された画像は、配置領域７１１ａ〜７１１ｄ、及び配置領域７２１ａ〜７２１ｄに初期表示される。
【００５０】
画像削除ボタン７４５ａ〜７４５ｄは、配置領域７４１ａ〜７４１ｄに設定する静的画像を削除するためのボタンである。ユーザーが画像削除ボタン７４５ａ〜７４５ｄを操作すると、対応する配置領域７４１ａ〜７４１ｄに設定されていた静的画像が削除されて空欄（ブランク）の状態となる。これにより、配置領域７１１ａ〜７１１ｄ、及び配置領域７２１ａ〜７２１ｄに初期表示される静的画像を非表示にすることができる。
【００５１】
また、管理画面７４０では、配置領域７４２ａ，７４２ｂに、提示画面７３０の配置領域７３１ａ，７３１ｂに表示するための静的画像を設定することができる。ここでは、「種類」の列に表示されたライン１，２に対応して、「画像」の列に静的画像６１０ｅ，６１０ｆが縮小されて表示されている。また、これらに対応して、「メニュー選択」の列に画像アップボタン７４４ｅ，７４４ｆ、画像削除ボタン７４５ｅ，７４５ｆが設けられている。
【００５２】
画像アップボタン７４４ｅ，７４４ｆは、画像アップボタン７４４ａ〜７４４ｄと同様に、配置領域７４２ａ，７４２ｂに設定する静的画像をアップロードするためのボタンである。ユーザーが７４４ｅ，７４４ｆを操作して、画像データを指定することで、この画像データの画像が配置領域７４２ａ，７４２ｂに設定される。これにより、設定された画像を配置領域７４２ａ，７４２ｂ、及び配置領域７３１ａ，７３１ｂに表示することができる。
【００５３】
画像削除ボタン７４５ｅ，７４５ｆは、画像削除ボタン７４５ａ〜７４５ｄと同様に、配置領域７４２ａ，７４２ｂに設定する静的画像を削除するためのボタンである。ユーザーが画像削除ボタン７４５ｅ，７４５ｆを操作することで、配置領域７４２ａ，７４２ｂ、及び配置領域７３１ａ，７３１ｂに表示される静的画像を非表示にすることができる。
【００５４】
また、管理画面７４０では、配置領域７４３ａに、提示画面７３０の配置領域７３１ｃに表示するための動的画像を設定することができる。ここでは、「種類」の列に表示された売り切れに対応して、「画像」の列に動的画像６２０ａが縮小されて表示されている。また、これらに対応して、「メニュー選択」の列に画像アップボタン７４４ｇ、画像削除ボタン７４５ｇが設けられている。
【００５５】
画像アップボタン７４４ｇは、画像アップボタン７４４ａ〜７４４ｄと同様に、配置領域７４３ａに設定する動的画像をアップロードするためのボタンである。ユーザーが７４４ｇを操作して、画像データを指定することで、この画像データの画像が配置領域７４３ａに設定される。これにより、設定された所望の画像を配置領域７４３ａ、及び配置領域７３１ｃに表示することができる。
【００５６】
画像削除ボタン７４５ｇは、画像削除ボタン７４５ａ〜７４５ｄと同様に、配置領域７４３ａに設定する動的画像を削除するためのボタンである。ユーザーが画像削除ボタン７４５ｇを操作することで、配置領域７４３ａ、及び配置領域７３１ｃに表示される動的画像を非表示にすることができる。
【００５７】
なお、本実施形態では、管理画面７４０に、４つの配置領域７４１ａ〜７４１ｄ、２つの配置領域７４２ａ，７４２ｂ、１つの配置領域７４３ａが設けられている場合を例示したが、これに限定されない。管理画面７４０に表示されるそれぞれの配置領域の数は、管理画面７４０及び表示装置３０ｃのサイズ及び解像度に応じて適宜設定することができる。ただし、配置領域７４１ａ〜７４１ｄは、配置領域７１１ａ〜７１１ｄ、及び配置領域７２１ａ〜７２１ｄそれぞれと同数設けられる。また、配置領域７４２ａ，７４２ｂは、配置領域７３１ａ，７３１ｂと同数設けられる。また、配置領域７４３ａは、配置領域７３１ｃと同数設けられる。さらに、管理画面７４０は、画面をスクロールして複数画面分の内容の表示を行うようにしてもよい。
【００５８】
管理画面７４０には、プレビューボタン７４６が設けられている。プレビューボタン７４６は、管理画面７４０に表示される配置領域７４１ａ〜７４１ｄ，７４２ａ，７４２ｂ，７４３ａに、それぞれ配置画像を設定した状態での選択画面７２０及び提示画面７３０のプレビューを行うためのボタンである。ユーザーがプレビューボタン７４６を操作することで、管理画面７４０に配置画像を設定した状態で、これに対応する選択画面７２０及び提示画面７３０を、表示部４３０に表示させることができる。
【００５９】
［１−５．処理部］
＜提示部＞
提示部２２１は、ユーザーの操作に応じて、選択画面７２０又は提示画面７３０を表示部２３０に表示する処理部である。
ユーザーが選択装置２００を操作して、所定のアプリケーション又はウェブブラウザを実行することによって、提示部２２１は、管理装置４００に選択画面７２０の閲覧要求を送信する。管理装置４００はこの閲覧要求を受信すると、転送部４２６が選択画面７２０に対応するレイアウト情報をレイアウト記憶部４１１から読み込むとともに、レイアウト情報で指定され、選択画面７２０を構成する配置画像のデータを画像記憶部４１２から読みこむ。さらに転送部４２６は、読み込まれたレイアウト情報と配置画像のデータを提示部２２１に送信する。提示部２２１は、受信したレイアウト情報と配置画像のデータを基にして選択画面７２０を生成し、表示部２３０に表示する。
【００６０】
また、提示部２２１は、表示部２３０に提示画面７３０を表示することで、メニュー画面７１０に表示される静的画像６１０ａ，６１０ｅ，６１０ｆ及び動的画像６２０ａを含む候補画像を提示する。
具体的には、提示部２２１は、選択受付部２２２から、選択画面７２０の配置領域７２１ａ〜７２１ｄのいずれかを選択する配置領域の選択要求を受信した場合には、管理装置４００に、選択された配置画像を置き換える候補として候補画像を提示する提示画面７３０の閲覧要求（取得要求）を送信する。管理装置４００はこの閲覧要求を受信すると、転送部４２６が提示画面７３０に対応するレイアウト情報をレイアウト記憶部４１１から読み込むとともに、レイアウト情報で指定され、提示画面７３０を構成する配置画像のデータを画像記憶部４１２から読みこむ。さらに転送部４２６は、読み込まれたレイアウト情報と配置画像のデータを提示部２２１に送信する。提示部２２１は、受信したレイアウト情報と配置画像のデータを基にして提示画面７３０を生成し、表示部２３０に表示する。このように、提示部２２１は、メニュー画面７１０と同じ配置領域が設けられた選択画面７２０を表示部２３０に表示し、選択画面７２０の配置領域に配置される配置画像が選択された場合に、選択された配置画像を置き換える候補として候補画像を提示する提示画面７３０を、表示部２３０に表示する。
【００６１】
なお、提示部２２１は、受信したレイアウト情報と配置画像のデータを、それぞれレイアウト記憶部２１１、画像記憶部２１２に格納してもよい。提示部２２１は、レイアウト記憶部２１１及び画像記憶部２１２に格納したレイアウト情報と配置画像のデータを読み出して、選択画面７２０又は提示画面７３０を表示することができる。
【００６２】
＜選択受付部＞
選択受付部２２２は、選択画面７２０又は提示画面７３０において、ユーザーの選択を受け付ける処理部である。
ユーザーが表示装置３０ａを操作して、選択画面７２０に含まれる配置領域７２１ａ〜７２１ｄからいずれかの配置領域を選択した場合には、選択受付部２２２は、この選択を配置領域の選択要求として受け付ける。そして、選択受付部２２２は、この配置領域の選択要求を提示部２２１及び変更指示部２２３に送信する。これにより、メニュー画面７１０に含まれる配置領域７１１ａ〜７１１ｄの中から、画像を変更する配置領域を選択することができる。
【００６３】
また、選択受付部２２２は、ユーザーが表示装置３０ａを操作して、提示画面７３０に含まれる静的画像６１０ａ，６１０ｅ，６１０ｆ、動的画像６２０ａから、静的画像６１０ｅ，６１０ｆ、動的画像６２０ａのいずれかの配置画像を選択した場合には、選択受付部２２２は、この選択を配置画像の選択要求として受け付ける。そして、選択受付部２２２は、この配置画像の選択要求を変更指示部２２３に送信する。これにより、選択受付部２２２は、提示画面７３０に表示された候補画像の中から、選択画面７２０で選択された配置領域に配置される画像を選択することができる。また、選択受付部２２２は、メニュー画面７１０に含まれる配置領域であって、選択画面７２０で選択された配置領域に対応する配置領域に配置される画像を選択することができる。
【００６４】
＜変更指示部＞
変更指示部２２３は、選択受付部２２２から送信された選択要求に応じて、配置領域と、配置領域に配置される静的画像又は動的画像との関係を示すレイアウト情報の変更指示を送信する処理部である。レイアウト情報の変更指示には、選択画面７２０の変更指示と、メニュー画面７１０の変更指示とが含まれる。
【００６５】
具体的には、レイアウト情報の変更指示には、選択画面７２０で選択された配置領域７２１ａ〜７２１ｄのいずれかの配置領域に、提示画面７３０で選択された候補画像が配置される、選択画面７２０の変更指示が含まれる。例えば、選択画面７２０で配置領域７２１ａが選択されて、提示画面７３０で静的画像６１０ｆが選択された場合には、図７に示すように、配置領域７２１ａに静的画像６１０ｆが配置された選択画面７２０の変更指示がされる。また例えば、選択画面７２０で配置領域７２１ａが選択されて、提示画面７３０で動的画像６２０ａが選択された場合には、図８に示すように、配置領域７２１ａに動的画像６２０ａが配置された選択画面７２０の変更指示がされる。
【００６６】
また、レイアウト情報の変更指示には、選択画面７２０で選択された配置領域に対応する、メニュー画面７１０の配置領域７１１ａ〜７１１ｄのいずれかの配置領域に、提示画面７３０で選択された候補画像が配置される、メニュー画面７１０の変更指示が含まれる。例えば、選択画面７２０で配置領域７２１ａが選択されて、提示画面７３０で静的画像６１０ｆが選択された場合には、図４に示すように、配置領域７２１ａに対応する配置領域７１１ａに静的画像６１０ｆが配置されたメニュー画面７１０の変更指示がされる。また例えば、選択画面７２０で配置領域７２１ａが選択されて、提示画面７３０で動的画像６２０ａが選択された場合には、図５に示すように、配置領域７２１ａに対応する配置領域７１１ａに動的画像６２０ａが配置されたメニュー画面７１０の変更指示がされる。このように、変更指示部２２３は、メニュー画面７１０のレイアウト情報を管理する管理装置４００に対して、選択要求で指定された候補画像を配置画像としてメニュー画面７１０に配置させるように、レイアウト情報の変更を指示する。
【００６７】
以上のように、変更指示部２２３は、選択受付部２２２から送信された選択要求に応じて、メニュー画面７１０の配置領域と、配置領域７１１ａ〜７１１ｄに配置される静的画像又は動的画像を含む配置画像との関係を示すレイアウト情報であって、受信装置３００による表示装置３０ｂへのメニュー画面７１０の表示制御に用いられるレイアウト情報の変更を制御する変更制御部の一例である。レイアウト情報の変更の制御は、上述のように、レイアウト情報を管理し受信装置３００にレイアウト情報を送信する管理装置４００に対する、レイアウト情報の変更を指示する処理を含んでよい。また、レイアウト情報の変更の制御は、他の観点では、表示部２３０に表示される選択画面７２０の配置領域と、表示部３３０に表示されるメニュー画面７１０の配置領域と、が同じ表示内容となるように、選択画面７２０の配置領域を更新するとともに、メニュー画面７１０の配置領域の更新制御を行う処理を含んでよい。メニュー画面７１０の配置領域の更新制御は、上述した、管理装置４００に対する、レイアウト情報の変更を指示する処理を含んでよい。
【００６８】
＜変更部＞
変更部４２１は、変更指示部２２３から送信された変更指示を受け付け、受け付けた変更指示に応じて、レイアウト記憶部４１１に記憶されるレイアウト情報を変更する処理部である。変更指示の「受け付け」とは、「受信」を含んでよく、また、受信した変更指示を受け入れるか否か（例えば正しい指示か否か）の判定を含んでもよい。レイアウト情報の変更は、レイアウトファイルに記述されている配置領域と、この配置領域に配置される画像との対応関係を修正することで行うことができる。
【００６９】
＜登録画面提供部＞
登録画面提供部４２２は、管理画面７４０を表示部４３０に表示する処理部である。ユーザーが管理装置４００を操作して、所定のアプリケーション又はウェブブラウザを実行することによって、登録画面提供部４２２が、管理画面７４０に対応するレイアウト情報をレイアウト記憶部４１１から読み込むとともに、レイアウト情報で指定され、管理画面７４０を構成する配置画像のデータを画像記憶部４１２から読みこむ。さらに登録画面提供部４２２は、読み込まれたレイアウト情報と配置画像のデータを基にして管理画面７４０を生成し、表示部４３０に表示する。
【００７０】
＜登録受付部＞
登録受付部４２３は、管理画面７４０において、候補画像に含まれる静的画像を登録する登録要求を受け付ける処理部である。登録受付部４２３は、候補画像に含まれる動的画像を登録する登録要求をさらに受け付けてもよい。図１０に示すように、ユーザーが画像アップボタン７４４ａ〜７４４ｇを操作して、画像データを指定した場合には、この指定を登録要求として格納指示部４２４に送信する。このとき、操作された画像アップボタン７４４ａ〜７４４ｇに応じて、所定の配置領域７４１ａ〜７４１ｄ，７４２ａ，７４２ｂ，７４３ａと指定された画像データとを対応付けられて登録するよう登録要求が送信される。
【００７１】
＜格納指示部＞
格納指示部４２４は、登録受付部４２３から送信された登録要求に応じて、格納部４２５に指定された画像データの格納指示を送信する処理部である。さらに、格納指示部４２４は登録要求に応じて、レイアウト記憶部４１１に記憶されるレイアウト情報を変更する変更指示を送信する。
【００７２】
＜格納部＞
格納部４２５は、格納指示部４２４から送信された格納指示に応じて、登録受付部４２３で受け付けた登録要求に係る画像データを、画像記憶部４１２に格納する処理部である。さらに、格納部４２５は、格納指示部４２４から送信された変更指示に応じて、レイアウト情報を変更する。
【００７３】
＜転送部＞
転送部４２６は、レイアウト記憶部４１１に記憶されるレイアウト情報、並びに画像記憶部４１２に記憶される静的画像及び動的画像の画像データを、選択装置２００及び受信装置３００に転送する処理部である。
具体的には、上述したように、転送部４２６は、選択装置２００からの閲覧要求に応じて、選択画面７２０又は提示画面７３０についてのレイアウト情報と配置画像のデータを選択装置２００に転送する。
【００７４】
また、転送部４２６は、所定のポーリング間隔（待機時間）が経過する毎に、メニュー画面７１０についてのレイアウト情報と配置画像のデータを受信装置３００に転送する。具体的には、転送部４２６がメニュー画面７１０に対応するレイアウト情報をレイアウト記憶部４１１から読み込むとともに、レイアウト情報で指定され、メニュー画面７１０を構成する配置画像のデータを画像記憶部４１２から読みこむ。さらに転送部４２６は、読み込まれたレイアウト情報と配置画像のデータを出力部３２１に送信する。ポーリング間隔は、受信装置３００及び管理装置４００の処理性能及びネットワーク性能に応じて設定することができ特に限定されないが、例えば３０秒である。
【００７５】
なお、転送部４２６は、予め設定された放映スケジュールに基づいて、時間帯に応じた所定のレイアウト情報と配置画像のデータを受信装置３００に転送して、時間帯に応じた所定のメニュー画面７１０を表示させることができる。例えば、午前の時間帯には朝食用のメニュー画面、昼の時間帯には昼食用のメニュー画面、夕方の時間帯には夕食用のメニュー画面、夜の時間帯には夜食用のメニュー画面を表示させることができる。
【００７６】
以上のように、転送部４２６は、レイアウト記憶部４１１に記憶されるレイアウト情報と、レイアウト情報で指定された配置画像であって画像記憶部４１２に記憶される配置画像の画像データと、を用いて、メニュー画面７１０を表示部３３０に表示させる制御を行う表示制御部の一例である。メニュー画面７１０を表示部３３０に表示させる制御は、上述のように、レイアウト情報と、配置画像の画像データとを、受信装置３００に転送する処理を含んでよい。また、表示制御部の一例としての転送部４２６は、画像記憶部４１２に記憶される候補画像の画像データと、レイアウト記憶部４１１に記憶される提示画面７３０の提示画面用レイアウト情報と、を用いて、提示画面７３０を表示部２３０に表示させる制御を行うといえる。提示画面７３０を表示部２３０に表示させる制御は、上述のように、提示画面用レイアウト情報と、候補画像を含む静的画像及び動的画像の画像データとを、選択装置２００に転送する処理を含んでよい。
【００７７】
＜出力部＞
出力部３２１は、転送部４２６から転送されるレイアウト情報、並びに静的画像及び動的画像の画像データを受信して、受信したレイアウト情報と画像データを基にしてメニュー画面７１０を生成し、表示装置３０ｂにメニュー画面７１０を表示させる処理部である。
【００７８】
例えば、出力部３２１は、転送部４２６から受信したレイアウト情報と画像データを基にして、図３に示すようなメニュー画面７１０を表示することができる。さらに、変更部４２１によってレイアウト情報が変更された場合には、転送部４２６から受信したレイアウト情報と画像データを基にして、図４，図５に示すようなメニュー画面７１０を表示することができる。
【００７９】
なお、出力部３２１は、受信したレイアウト情報と画像データを、それぞれレイアウト記憶部３１１、画像記憶部３１２に格納してもよい。出力部３２１は、レイアウト記憶部３１１及び画像記憶部３１２に格納したレイアウト情報と配置画像のデータを読み出して、メニュー画面７１０を表示することができる。例えば、受信装置３００と外部とを接続するネットワークが切断している場合には、出力部３２１は、レイアウト記憶部３１１及び画像記憶部３１２に格納したレイアウト情報と配置画像のデータを読み出して、メニュー画面７１０を表示することができる。
【００８０】
［２．処理］
以下、図１１〜図１３を参照しながら、表示システム１００の処理について説明する。図１１では、選択装置２００において実行される処理内容を示している。また、図１２では、受信装置３００において実行される処理内容を示している。また、図１３では、管理装置４００において実行される処理内容を示している。各フローは表示システム１００が動作しているときに、所定の演算周期で実施される。
【００８１】
＜選択装置の処理＞
選択装置２００では、まず、提示部２２１が選択画面７２０を表示する（ステップＳ１０１）。ここでは、例えば初期表示として、図６に示すように、配置領域７２１ａ〜７２１ｄに、それぞれ静的画像６１０ａ〜６１０ｄが配置された画面を表示する。
【００８２】
次に、選択画面７２０が表示された状態で、選択受付部２２２は、配置領域の選択要求を受け付ける（ステップＳ１０２）。ここでは、配置領域７２１ａが選択された場合を例示する。
ステップＳ１０２において、配置領域の選択要求がなされなかった場合には、ステップＳ１０１に戻り、選択画面７２０の表示を行う。
【００８３】
配置領域の選択要求がなされた場合には、提示部２２１が提示画面７３０を表示する（ステップＳ１０３）。このとき、図９に示すように、配置領域７２１ａ〜７２１ｄに配置されている静的画像６１０ａ〜６１０ｄ以外の静的画像６１０ｅ，６１０ｆを、配置領域７３１ａ，７３１ｂに入れ替えメニュー１，２として表示する。また、売り切れを表示する動的画像６２０ａを、配置領域７３１ｃに表示する。また、ステップＳ１０２で選択された配置領域７２１ａに配置されている静的画像６１０ａを、配置領域７３１ｄに現在のメニューとして表示する。
【００８４】
提示画面７３０が表示された状態で、選択受付部２２２は、配置画像の選択要求を受け付ける（ステップＳ１０４）。
ステップＳ１０４において、配置画像の選択要求がなされなかった場合には、ステップＳ１０３に戻り、提示画面７３０の表示を行う。
【００８５】
配置画像の選択要求がなされた場合であって、配置画像の変更があった場合には（ステップＳ１０５のＹｅｓ）、選択受付部２２２は、ステップＳ１０２で受け付けた配置領域の選択要求と、ステップＳ１０５で受け付けた配置画像の選択要求とを、変更指示部２２３に送信する（ステップＳ１０６）。そして、変更指示部２２３は、選択受付部２２２から送信された選択要求に応じて、レイアウト情報の変更指示を、変更部４２１に送信する（ステップＳ１０７）。
【００８６】
これに対して、配置画像の選択要求がなされた場合であって、配置画像の変更がなかった場合には（ステップＳ１０５のＮｏ）、選択要求とレイアウト情報の変更指示の送信は行われずにフローを終了し、再び選択画面が表示される（ステップＳ１０１）。
【００８７】
なお、配置画像の変更があった場合とは、入れ替えメニュー１，２として表示される静的画像６１０ｅ，６１０ｆ、又は売り切れを表示する動的画像６２０ａが選択された場合をいう。また、配置画像の変更がなかった場合とは、ステップＳ１０２で選択された配置領域７２１ａに配置されている画像と同じ、配置領域７３１ｄに現在のメニューとして表示される静的画像６１０ａが選択された場合をいう。
【００８８】
＜受信装置の処理＞
受信装置３００では、出力部３２１が、転送部４２６から転送されるレイアウト情報及び画像データを受信する（ステップＳ２０１）。
そして、出力部３２１は、レイアウト情報と画像データを基にして、表示部３３０にメニュー画面７１０を表示する（ステップＳ２０２）。
【００８９】
転送部４２６が所定のポーリング間隔に応じてレイアウト情報及び画像データを送信することで、受信装置３００によるメニュー画面７１０の表示は、定期的に更新される。これにより、例えば初期表示として、図３に示すように、配置領域７１１ａ〜７１１ｄに、それぞれ静的画像６１０ａ〜６１０ｄが配置された画面を表示する。そして、選択装置２００から管理装置４００にレイアウト情報の変更指示が送信されて、レイアウト記憶部４１１に記憶されるレイアウト情報が変更された後には、転送部４２６から出力部３２１に変更後のレイアウト情報及び画像データが転送される。そして、出力部３２１は、図４，図５に示すように、変更後の画面を表示する。
【００９０】
＜管理装置の処理＞
管理装置４００では、まず、登録画面提供部４２２が管理画面７４０を表示する（ステップＳ３０１）。
【００９１】
次に、管理画面７４０が表示された状態で、登録受付部４２３は、配置画像の登録要求を受け付ける（ステップＳ３０２）。
ステップＳ３０２において、配置画像の登録要求がなされなかった場合には、ステップＳ３０６に進む。
【００９２】
配置画像の登録要求がなされた場合には、登録受付部４２３は、ステップＳ３０２で受け付けた登録要求を格納指示部４２４に送信する（ステップＳ３０３）。そして、格納指示部４２４は、登録受付部４２３から送信された登録要求に応じて、画像データの格納指示を、格納部４２５に送信する（ステップＳ３０４）。このとき、格納指示部４２４は登録要求に応じて、レイアウト情報を変更する変更指示を、格納部４２５に送信する。さらに、格納部４２５は、格納指示部４２４から送信された画像データの格納指示に応じて、画像データを画像記憶部４１２に格納する（ステップＳ３０５）。また、格納部４２５は、格納指示部４２４から送信された変更指示に応じて、レイアウト記憶部４１１に記憶されるレイアウト情報を変更する。
【００９３】
次に、変更部４２１が、変更指示部２２３からのレイアウト情報の変更指示を受信したかどうかの判定を行う（ステップＳ３０６）。
ステップＳ３０６において、レイアウト情報の変更指示がなされなかった場合には、ステップＳ３０８に進む。
【００９４】
レイアウト情報の変更指示がなされた場合には、変更部４２１は、変更指示部２２３から送信された変更指示に応じて、レイアウト記憶部４１１に記憶されるレイアウト情報を変更する（ステップＳ３０７）。
【００９５】
さらに、転送部４２６は、待機時間Ｔとポーリング時間Ｔ0との比較判定を行う（ステップＳ３０８）。待機時間Ｔは、システム１００の動作開始時に０にセットされて、システム１００の動作中に時間経過に応じて増加する。そして、待機時間Ｔがポーリング時間Ｔ0以上の場合には、転送部４２６は、レイアウト情報及び画像データを出力部３２１に転送する（ステップＳ３０９）。このとき、待機時間Ｔが０にリセットされる。一方、待機時間Ｔがポーリング時間Ｔ0を下回る場合には、レイアウト情報及び画像データの転送が行われずにフローを終了し、管理画面が表示される（ステップＳ３０１）。
【００９６】
なお、上記説明では、ステップＳ３０１〜Ｓ３０５の処理と、ステップＳ３０６〜Ｓ３０７の処理と、ステップＳ３０８〜Ｓ３０９の処理とをこの順で行う場合を例示した。管理装置４００で行われるこれらの３つ処理の順序は上述した順序に限定されず、入れ替えて行ってもよい。
【００９７】
以上のように、実施形態に係る表示システム１００は、表示部２３０，３３０に対する画面の表示遷移の観点では、以下の表示処理を行うといえる。
表示部３３０が、静的画像と動的画像とを配置可能な配置領域を設けたメニュー画面７１０を表示する（図３等参照）。
表示部２３０が、メニュー画面７１０と同じ配置領域が設けられた選択画面７２０を表示した状態で（図６等参照）、選択画面７２０に設けられた配置画像のうちのいずれかの画像が選択されると、メニュー画面７１０の配置領域に配置される配置画像であって選択された画像に対応する配置画像の置き換え候補である候補画像を提示する提示画面７３０を表示する（図９等参照）。
【００９８】
提示画面７３０において候補画像が選択されると、表示部２３０に表示される選択画面７２０の配置領域と、表示部３３０に表示されるメニュー画面７１０の配置領域と、が同じ表示内容となるように、表示部２３０が、選択画面７２０の配置領域を更新させた選択画面７２０を表示するとともに、表示部３３０が、メニュー画面７１０の配置領域を更新させたメニュー画面７１０を表示する。
【００９９】
［３．作用及び効果］
本実施形態に係る選択装置２００及び表示システム１００は、上述のように構成されるため、以下のような作用及び効果を得ることができる。
【０１００】
選択装置２００は、配置領域に静的画像又は動的画像を配置したメニュー画面を表示する表示システム１００に用いられる装置である。選択装置２００は、静的画像又は動的画像を含む候補画像を提示する提示部２２１と、候補画像の中から配置領域に配置される画像を選択する選択要求を受け付ける選択受付部２２２と、選択要求に応じてレイアウト情報の変更指示をする変更指示部２２３とを有している。これにより、選択装置２００のユーザーは、候補画像から画像を選択することで、配置領域に配置されている画像を変更することができる。すなわち、選択装置２００では、画像を選択するという操作のみによって、メニュー画面に表示される静的画像や動的画像を入れ替えることができる。例えば、静的情報であるメニュー品目の入れ替えを行ったり、動的情報である売り切れ情報の表示変更を行ったりすることが可能となる。より具体的には、静的情報であるメニュー品目の画像を表示している状態から、動的情報である売り切れ情報の画像に入れ替えることで、売り切れ状態の表示に変更することができる。また、静的情報であるメニュー品目の画像を表示している状態から、静的情報である他のメニュー品目の画像に入れ替えることで、入れ替わったメニュー品目の表示に変更することができる。また、動的情報である売り切れ情報の画像を表示している状態から、静的情報であるメニュー品目の画像に入れ替えることで、売り切れ状態から切り替わったメニュー品目の表示に変更することができる。また、静的情報であるメニュー品目の画像を表示している状態から、このメニュー品目の画像を半透明表示して、動的情報である売り切れ情報の画像をオーバーレイするように表示することで、売り切れ状態の表示に変更することができる。したがって、直感的且つ平易な操作が可能となる。また、わずか数秒程度の短時間及び短ステップで操作が完了するため、操作に要する時間及び作業のロスを低減して、リアルタイムで表示を変更することが可能となる。また、電子機器の操作に慣れていない者であっても容易に操作ができるため、操作ミスを軽減できる。さらに、キーボードやスタイラスのような別途の（文字）入力デバイスが不要となる。
【０１０１】
また、表示システム１００は、レイアウト情報及び画像データを受信して、表示装置３０ｂにメニュー画面を表示させる出力部を有する受信装置３００を備えている。これにより、受信装置３００を選択装置２００から離れた位置に設置して、メニュー画面７１０を表示することができる。例えば、選択装置２００を、調理を行う調理場に配置して、受信装置３００を食堂や、調理場及び食堂からさらに離れた場所に配置して表示することができる。また、受信装置３００に表示する内容を変更するために、受信装置３００まで移動せずとも選択装置２００から遠隔で変更することができる。したがって、表示変更のための移動に要する時間と労力を節約することができる。
【０１０２】
また、表示システム１００は、静的画像を登録する登録要求を受け付ける登録受付部４２３と、登録要求に応じて画像データの格納指示をする格納指示部４２４と、格納指示に応じて画像記憶部４１２に画像データを格納する格納部４２５と、レイアウト情報及び画像データとを受信装置３００に転送する転送部４２６とを有する管理装置４００をさらに備えている。これにより、ユーザーがメニュー画面に表示させようとする所望の静的画像の画像データを新たに登録して、受信装置３００に表示することができる。したがって、ユーザーが望む静的画像を表示するメニュー画面を構築することができる。
【０１０３】
［４．変形例］
変形例に係る表示システム１００’について、図１４，図１５を参照して説明する。図１４，図１５に示すように、表示システム１００’では、管理装置４００に変えて、管理装置４００’及び配信装置５００を備えている点で相違している。本変形例では、管理装置４００’及び配信装置５００が、管理装置４０１として機能し、この管理装置４０１は、管理装置４００と同様に機能する。変形例に係る表示システム１００’は、表示システム１００では管理装置４００が有していた配置画像の管理機能と、レイアウト情報及び画像データの配信機能とを、管理装置４００’と配信装置５００に分離することができる。変形例に係る表示システム１００’は、一部の構成が上述の実施形態に係る表示システム１００と同様に構成されており、実施形態に係る表示システム１００と同様のものについては説明を省略し、同符号を用いて説明する。
【０１０４】
図１４に示すように、管理装置４００’のハードウェア構成は、管理装置４００と同様である。また、配信装置５００は、メモリ１０ｄ、ＣＰＵ２０ｄ、及び通信モジュール４０ｄを備えている。管理装置４００’は、上述した要素を備えるパーソナルコンピュータとして構成されている。配信装置５００は、上述した要素を備え、通信モジュール４０ｄを介してネットワーク９０に接続して、ネットワークに接続された通信端末とデータ転送を行うデータサーバとして機能する。
【０１０５】
表示システム１００では、管理装置４００の記憶部４１０が、レイアウト記憶部４１１及び画像記憶部４１２を備えていたのに対して、図１５に示すように、表示システム１００’では、配信装置５００の記憶部５１０が、レイアウト記憶部５１１及び画像記憶部５１２を備えている。また、表示システム１００では、管理装置４００の処理部４２０が、変更部４２１、登録画面提供部４２２、登録受付部４２３、格納指示部４２４、格納部４２５、及び転送部４２６を備えていたのに対して、表示システム１００’では、管理装置４００’の処理部４２０’が、登録画面提供部４２２、登録受付部４２３、及び格納指示部４２４を備えている。また、配信装置５００の処理部５２０が、変更部５２１、格納部５２５、及び転送部５２６を備えて構成される。
【０１０６】
選択装置２００では、提示部２２１が選択画面７２０又は提示画面７３０を表示する際に、提示部２２１から配信装置５００に閲覧要求を送信する。配信装置５００はこの閲覧要求を受信すると、転送部５２６が選択画面７２０又は提示画面７３０に対応するレイアウト情報をレイアウト記憶部５１１から読み込むとともに、レイアウト情報で指定され、選択画面７２０又は提示画面７３０を構成する配置画像のデータを画像記憶部５１２から読みこむ。さらに転送部５２６は、読み込まれたレイアウト情報と配置画像のデータを提示部２２１に送信する。
【０１０７】
また、変更指示部２２３は、選択受付部２２２から送信された選択要求に応じて、レイアウト情報の変更指示を、変更部５２１に送信する。
【０１０８】
受信装置３００では、出力部３２１は、転送部５２６から転送されるレイアウト情報及び画像データを受信する。そして、出力部３２１は、転送部５２６から転送されたレイアウト情報と画像データを基にして、表示部３３０にメニュー画面７１０を表示する。
【０１０９】
管理装置４００’では、登録画面提供部４２２が管理画面７４０を表示する際に、登録画面提供部４２２は、配信装置５００に管理画面７４０の閲覧要求を送信する。配信装置５００はこの閲覧要求を受信すると、転送部５２６が管理画面７４０に対応するレイアウト情報をレイアウト記憶部５１１から読み込むとともに、レイアウト情報で指定され、管理画面７４０を構成する配置画像のデータを画像記憶部５１２から読みこむ。さらに転送部５２６は、読み込まれたレイアウト情報と配置画像のデータを登録画面提供部４２２に送信する。
【０１１０】
また、格納指示部４２４は、登録受付部４２３から送信された登録要求に応じて、画像データの格納指示を、格納部５２５に送信する。このとき、格納指示部４２４は登録要求に応じて、レイアウト情報を変更する変更指示を、格納部５２５に送信する。さらに、格納部５２５は、格納指示部４２４から送信された画像データの格納指示に応じて、画像データを画像記憶部５１２に格納する。また、格納部５２５は、格納指示部４２４から送信された変更指示に応じて、レイアウト記憶部５１１に記憶されるレイアウト情報を変更する。
【０１１１】
さらに、変更部５２１は、変更指示部２２３から送信された変更指示に応じて、レイアウト記憶部５１１に記憶されるレイアウト情報を変更する。また、転送部５２６は、待機時間Ｔがポーリング時間Ｔ0以上の場合には、レイアウト情報及び画像データを出力部３２１に転送する。具体的には、転送部５２６がメニュー画面７１０に対応するレイアウト情報をレイアウト記憶部５１１から読み込むとともに、レイアウト情報で指定され、メニュー画面７１０を構成する配置画像のデータを画像記憶部５１２から読みこむ。さらに転送部５２６は、読み込まれたレイアウト情報と配置画像のデータを出力部３２１に送信する。
【０１１２】
変形例に係る表示システム１００’によれば、実施形態に係る表示システム１００と同様の効果を奏する。
【０１１３】
［５．その他］
上記説明では、品目として食堂で提供される商品を表示するメニュー画面を例に挙げて説明した。メニュー画面に表示する品目はこれに限定されず、適宜変更することができる。例えば、静的情報として部品又は備品の名称、動的情報として部品又は備品の在庫が無い事を表示することで、在庫状況の確認に利用することができる。
【０１１４】
上記説明では、選択受付部２２２が、配置領域に配置される画像を選択する選択要求を受け付けるとともに、変更指示部２２３が、選択受付部２２２により選択要求を受け付けた画像を配置するように、レイアウト情報を変更する場合を例に挙げて説明した。レイアウト情報の変更はこれに限られず、選択受付部２２２により選択要求を受け付けた画像とは異なる画像を表示するようにしてもよい。例えば、選択受付部２２２により選択要求を受け付けた画像と同義の画像を表示するようにしてもよい。具体的には、選択受付部２２２により選択要求を受け付けた画像が、「売り切れ」の文字が表示されている画像であった場合に、「ＳＯＬＤ  ＯＵＴ」の文字が表示されている画像を表示するようにしてもよい。また例えば、選択受付部２２２により選択要求を受け付けた画像の詳細を示す画像を表示するようにしてもよい。具体的には、選択受付部２２２により選択要求を受け付けた画像が、「アレルギー表示」の文字が表示されている画像であった場合に、アレルギー情報の内訳が表示されている画像を表示するようにしてもよい。
【０１１５】
上記説明では、所定のポーリング間隔に応じて転送部４２６がレイアウト情報及び画像データを送信することで、出力部３２１が定期的にメニュー画面の表示を更新する場合を例に挙げて説明した。出力部３２１は所定の間隔で転送部４２６にメニュー画面の更新要求を送信して、転送部４２６は出力部３２１からの更新要求に応じてレイアウト情報及び画像データを送信するようにしてもよい。そして、出力部３２１からの更新要求に応じて定期的にメニュー画面の表示を更新するようにしてもよい。
【０１１６】
上記説明では、メニュー画面７１０、選択画面７２０、提示画面７３０、及び管理画面７４０が、ＨＴＭＬやＣＳＳ等によって構成される場合を例に挙げて説明した。これらの画面は、例えばＣＧＩ（Common Gateway Interface）スクリプト、ＰＨＰ（PHP: Hypertext Preprocessor）、Ｊａｖａ（登録商標）、ＪａｖａＳｃｒｉｐｔ（登録商標）、Ａｊａｘ（Asynchronous JavaScript（登録商標）+ XML）、Ｆｌａｓｈ（登録商標）等を使用して実装された画面であってもよい。または、これらの画面は、パワーポイント（登録商標）、ＰＤＦ（Portable Document Format）、又は画像ファイルとして表示されるものであってもよい。
【０１１７】
上記説明では、表示システム１００に、選択装置２００、受信装置３００、及び管理装置４００が、それぞれ１台ずつ備えられる場合を例示した。表示システム１００の構成はこれに限定されず、複数の受信装置３００を備えるようにしてもよい。この場合、管理装置４００は、複数の受信装置３００に対して、レイアウト情報及び画像データを転送する。そして、複数の受信装置３００に、同じ内容のメニュー画面７１０を表示するようにしてもよい。
【０１１８】
上記説明では、表示部２３０，３３０，４３０は、それぞれ単独の表示装置３０ａ，３０ｂ，３０ｃである場合を例示した。表示部２３０，３３０，４３０は、それぞれ複数の表示装置を組み合わせることによって、一つの画面を分割して複数の表示装置に表示するようにしてもよい。例えば、表示部３３０は、複数の表示装置にメニュー画面７１０を分割して表示することができる。また、表示部２３０は、複数の表示装置に選択画面７２０及び提示画面７３０を分割して表示することができる。また、表示部４３０は、複数の表示装置に管理画面７４０を分割して表示することができる。
【０１１９】
上記説明では、選択装置２００が、記憶部２１０としてレイアウト記憶部２１１及び画像記憶部２１２の機能を備え、処理部２２０として、提示部２２１、選択受付部２２２、及び変更指示部２２３の機能を備える場合を例示した。また、受信装置３００が、記憶部３１０としてレイアウト記憶部３１１及び画像記憶部３１２の機能を備え、処理部３２０として、出力部３２１の機能を備える場合を例示した。さらに、管理装置４００が、記憶部４１０としてレイアウト記憶部４１１及び画像記憶部４１２の機能を備え、処理部４２０として、変更部４２１、登録画面提供部４２２、登録受付部４２３、格納指示部４２４、格納部４２５、及び転送部４２６の機能を備える場合を例示した。表示システム１００の構成は、上述した例に限定されず、選択装置２００、受信装置３００、及び管理装置４００の各々の機能は、任意の組み合わせで、他の装置に備えられてもよい。以下、非限定的な例を挙げる。
【０１２０】
例えば、上記説明では、管理装置４００が、レイアウト情報を管理し、選択装置２００が、管理装置４００に対してレイアウト情報の変更を指示し、管理装置４００が、当該指示に応じて変更したレイアウト情報を、受信装置３００に送信する場合を例示した。表示システム１００の構成は、これに限定されず、選択装置２００が、管理装置４００としての情報（例えば図２に示すレイアウト記憶部４１１及び画像記憶部４１２）及び機能（例えば図２に示す処理部４２０の機能）をさらに備え、レイアウトを管理してもよい。この場合、選択装置２００は、レイアウト情報の変更制御として、自身が記憶するレイアウト情報を変更し、変更したレイアウト情報を所定のタイミング（例えばポーリング等のタイミング）で受信装置３００に送信してもよい。なお、この場合、表示システム１００は、管理装置４００を備えなくてよく（省略してよく）、管理装置４００としての情報及び機能を併合した選択装置２００と、受信装置３００と、を備えればよい。
【０１２１】
また、例えば、受信装置３００が、管理装置４００としての情報（例えば図２に示すレイアウト記憶部４１１及び画像記憶部４１２）及び機能（例えば図２に示す処理部４２０の機能）をさらに備え、レイアウトを管理してもよい。この場合、選択装置２００は、レイアウト情報の変更制御として、受信装置３００に対してレイアウト情報の変更を指示し、受信装置３００は、変更指示に応じて、自身が記憶するレイアウト情報を変更し、メニュー画面７１０の表示制御を行ってもよい。なお、この場合、表示システム１００は、管理装置４００を備えなくてよく（省略してよく）、選択装置２００と、管理装置４００としての情報及び機能を併合した受信装置３００と、を備えればよい。
【０１２２】
さらに、例えば、管理装置４００としての情報（例えば図２に示すレイアウト記憶部４１１及び画像記憶部４１２）及び機能（例えば図２に示す処理部４２０の機能）は、選択装置２００及び受信装置３００に分散して配置されてもよい。すなわち、選択装置２００が、管理装置４００としての情報及び機能のうちの一部分を備え、受信装置３００が、管理装置４００としての情報及び機能のうちの、残りの部分を備えてもよい。
【０１２３】
また、例えば、１以上の情報処理装置又はコンピュータが、表示部２３０及び３３０（表示装置３０ａ及び３０ｂ）の表示制御を行い、当該情報処理装置が、選択装置２００としての情報及び機能、受信装置３００としての情報及び機能、並びに、管理装置４００としての情報及び機能を統合して有してもよい。例えば、１以上の情報処理装置が、少なくとも、上述した出力部３２１、提示部２２１、及び、変更制御部としての変更指示部２２３、等を備え、表示部２３０及び３３０の各々に対する表示制御を行ってよい。
【０１２４】
さらに、例えば、上述した選択装置２００、受信装置３００、及び管理装置４００としての機能は、１以上のＶＭ（仮想マシン；Virtual Machine）によって実現されてもよい。この場合、例えば、１以上の情報処理装置又はコンピュータが、１以上のＶＭを実行し、１以上のＶＭ上で、選択装置２００、受信装置３００、管理装置４００の各々としての処理を実行してもよいし、これらの機能を任意の組み合わせで統合した処理を実行してもよい。
【０１２５】
また、例えば、選択装置２００、受信装置３００、及び管理装置４００が備える上述した機能のうちの少なくとも１つは、クラウドサーバのようなリモートシステムに備えられてもよい。すなわち、表示システム１００によるサービスは、クラウドサービスとして提供されてもよい。この場合、表示装置３０ａ及び３０ｂが設置される場所（例えば飲食店等）には、少なくとも、以下の（１）及び（２）に示すような選択装置２００及び受信装置３００が備えられればよい。また、この場合、クラウドサーバ等には、上述した表示システム１００の機能のうち、以下の（１）及び（２）に示すような選択装置２００及び受信装置３００が有する機能を除いた機能が備えられればよい。
【０１２６】
（１）選択装置２００は、表示装置３０ａに対して、クラウドサーバ等から受信したレイアウト情報及び画像データに基づき、選択画面７２０及び提示画面７３０を表示する機能、並びに、選択画面７２０及び提示画面７３０に対する操作入力を受け付け、受け付けた入力内容をクラウドサーバ等に送信する機能、を少なくとも有していればよい。なお、クラウドサーバ等において、レイアウト情報及び画像データに基づき、選択画面７２０及び提示画面７３０の画面データを生成可能である場合には、選択装置２００は、選択画面７２０及び提示画面７３０を表示する機能として、クラウドサーバ等から受信した画面データ自体を表示装置３０ａに対して出力（表示）すればよい。
【０１２７】
（２）受信装置３００は、表示装置３０ｂに対して、クラウドサーバ等から受信したレイアウト情報及び画像データに基づき、メニュー画面７１０を表示する機能、を少なくとも有していればよい。なお、クラウドサーバ等において、レイアウト情報及び画像データに基づき、メニュー画面７１０の画面データを生成可能である場合には、受信装置３００は、メニュー画面７１０を表示する機能として、クラウドサーバ等から受信した画面データ自体を表示装置３０ｂに対して出力（表示）すればよい。
【０１２８】
［６．付記］
以上の実施形態に関し、さらに以下の付記を開示する。
【０１２９】
（付記１）
第１表示装置と、第２表示装置と、第１の情報処理装置としての情報処理装置と、を備える表示システムにおける前記情報処理装置であって、
品目についての準静的に変化する情報又は変化しない情報を示す静的情報を表す静的画像又は品目についての動的に変化する情報を示す動的情報を表す動的画像を含む候補画像を配置した提示画面を前記第１表示装置に提示する提示部と、
前記第１表示装置に表示された前記提示画面における前記候補画像の中から、前記静的画像と前記動的画像とを配置可能な配置領域であって、前記第２表示装置に表示されるメニュー画面に設けられる前記配置領域に配置される画像を選択する選択要求を受け付ける選択受付部と、
前記選択要求に応じて、前記メニュー画面の前記配置領域と、前記配置領域に配置される前記静的画像又は前記動的画像を含む配置画像との関係を示すレイアウト情報であって、前記第２表示装置への前記メニュー画面の表示制御に用いられる前記メニュー画面の前記レイアウト情報の変更を制御する変更制御部と、を有する、
情報処理装置。
【０１３０】
（付記２）
前記提示部は、前記メニュー画面と同じ配置領域が設けられた選択画面を前記第１表示装置に表示し、前記選択画面の前記配置領域に配置される配置画像が選択された場合に、選択された前記配置画像を置き換える候補として前記候補画像を提示する前記提示画面を、前記第１表示装置に表示する、
付記１に記載の情報処理装置。
【０１３１】
（付記３）
前記提示部は、前記選択画面の前記配置領域に配置される前記配置画像が選択された場合に、選択された前記配置画像を置き換える候補として前記候補画像を提示する前記提示画面の提示画面用レイアウト情報の取得要求を前記提示画面用レイアウト情報を管理する第２の情報処理装置に送信する、
付記２に記載の情報処理装置。
【０１３２】
（付記４）
前記提示部は、前記提示画面の提示画面用レイアウト情報を管理する第２の情報処理装置から受信した、前記候補画像の画像データと、前記提示画面用レイアウト情報と、に基づいて、前記第１表示装置に前記提示画面を提示する、
付記１〜３のいずれか１項に記載の情報処理装置。
【０１３３】
（付記５）
前記変更制御部は、前記メニュー画面の前記レイアウト情報を管理する第２の情報処理装置に対して、前記選択要求で指定された前記候補画像を前記配置画像として前記メニュー画面に配置させるように、前記レイアウト情報の変更を指示する、
付記１〜４のいずれか１項に記載の情報処理装置。
【０１３４】
（付記６）
第１表示装置と、第２表示装置と、情報処理装置と、を備える表示システムにおける前記情報処理装置であって、
品目についての準静的に変化する情報又は変化しない情報を示す静的情報を表す静的画像と品目についての動的に変化する情報を示す動的情報を表す動的画像とを配置可能な配置領域であって、前記第２表示装置に表示されるメニュー画面に設けられる前記配置領域に配置される前記静的画像又は前記動的画像を含む配置画像の画像データを記憶する画像記憶部と、
前記メニュー画面の前記配置領域と、前記配置領域に配置される前記配置画像との関係を示すレイアウト情報であって、前記第２表示装置への前記メニュー画面の表示制御に用いられる前記メニュー画面の前記レイアウト情報を記憶するレイアウト記憶部と、
前記メニュー画面の前記配置領域に配置される前記配置画像を前記静的画像又は前記動的画像を含む候補画像に変更することを指示する変更指示を受け付け、前記変更指示に応じて、前記レイアウト記憶部に記憶される前記レイアウト情報を変更する変更部と、
前記レイアウト記憶部に記憶される前記レイアウト情報と、前記レイアウト情報で指定された配置画像であって前記画像記憶部に記憶される前記配置画像の画像データと、を用いて、前記メニュー画面を前記第２表示装置に表示させる制御を行う表示制御部と、を有する、
情報処理装置。
【０１３５】
（付記７）
前記画像記憶部は、前記候補画像の画像データを記憶し、
前記候補画像に含める静的画像を登録する登録要求を受け付ける登録受付部と、
前記登録要求に係る前記静的画像の画像データを前記画像記憶部に格納する格納部と、を有する、
付記６に記載の情報処理装置。
【０１３６】
（付記８）
前記レイアウト記憶部は、前記第１表示装置に表示される提示画面であって、前記候補画像を配置した前記提示画面のレイアウト情報である提示画面用レイアウト情報を記憶し、
前記表示制御部は、前記画像記憶部に記憶される前記候補画像の画像データと、前記レイアウト記憶部に記憶される前記提示画面用レイアウト情報と、を用いて、前記提示画面を前記第１表示装置に表示させる制御を行う、
付記６又は付記７に記載の情報処理装置。
【０１３７】
（付記９）
第１表示装置と、第２表示装置と、を備える表示システムであって、
品目についての準静的に変化する情報又は変化しない情報を示す静的情報を表す静的画像又は品目についての動的に変化する情報を示す動的情報を表す動的画像を含む候補画像を配置した提示画面を前記第１表示装置に提示する提示部と、
前記第１表示装置に表示された前記提示画面における前記候補画像の中から、前記静的画像と前記動的画像とを配置可能な配置領域であって、前記第２表示装置に表示されるメニュー画面に設けられる前記配置領域に配置される画像を選択する選択要求を受け付ける選択受付部と、
前記選択要求に応じて、前記メニュー画面の前記配置領域と、前記配置領域に配置される前記静的画像又は前記動的画像を含む配置画像との関係を示すレイアウト情報であって、前記第２表示装置への前記メニュー画面の表示制御に用いられる前記メニュー画面の前記レイアウト情報の変更を制御する変更制御部と、
前記変更制御部による制御により変更された前記メニュー画面のレイアウト情報と、前記配置画像の画像データと、に基づいて、前記第２表示装置に前記メニュー画面を表示させる出力部と、を有する、
表示システム。
【０１３８】
（付記１０）
前記配置画像及び前記候補画像の画像データを記憶する画像記憶部と、
前記レイアウト情報を記憶するレイアウト記憶部と、
前記レイアウト情報の変更の制御により送信された変更指示に応じて、前記レイアウト記憶部に記憶される前記レイアウト情報を変更する変更部と、
前記画像記憶部に記憶される前記配置画像の画像データと、前記レイアウト記憶部に記憶される前記レイアウト情報とを前記出力部に転送する転送部と、を有する、
付記９に記載の表示システム。
【０１３９】
（付記１１）
前記静的情報が、前記品目の名称、又は前記品目の外観の画像を含み、
前記動的情報が、前記品目の売り切れ状態、準備中状態、値引き状態、残り品数、及び在庫数よりなる群から選ばれる少なくとも一つを含む、
付記９又は１０に記載の表示システム。
【０１４０】
（付記１２）
前記品目が、食堂で提供される商品である、
付記９〜１１のいずれか１項に記載の表示システム。
【０１４１】
（付記１３）
第１表示装置と、第２表示装置と、コンピュータと、を備える表示システムにおける前記コンピュータに、
品目についての準静的に変化する情報又は変化しない情報を示す静的情報を表す静的画像又は品目についての動的に変化する情報を示す動的情報を表す動的画像を含む候補画像を配置した提示画面を前記第１表示装置に提示し、
前記第１表示装置に表示された前記提示画面における前記候補画像の中から、前記静的画像と前記動的画像とを配置可能な配置領域であって、前記第２表示装置に表示されるメニュー画面に設けられる前記配置領域に配置される画像を選択する選択要求を受け付け、
前記選択要求に応じて、前記メニュー画面の前記配置領域と、前記配置領域に配置される前記静的画像又は前記動的画像を含む配置画像との関係を示すレイアウト情報であって、前記第２表示装置への前記メニュー画面の表示制御に用いられる前記メニュー画面の前記レイアウト情報の変更を制御する、
処理を実行させる、プログラム。
【０１４２】
（付記１４）
第１表示装置と、第２表示装置と、コンピュータと、を備える表示システムにおける前記コンピュータに、
品目についての準静的に変化する情報又は変化しない情報を示す静的情報を表す静的画像と品目についての動的に変化する情報を示す動的情報を表す動的画像とを配置可能な配置領域であって、前記第２表示装置に表示されるメニュー画面に設けられる前記配置領域に配置される前記静的画像又は前記動的画像を含む配置画像の画像データを画像記憶部に記憶し、
前記メニュー画面の前記配置領域と、前記配置領域に配置される前記配置画像との関係を示すレイアウト情報であって、前記第２表示装置への前記メニュー画面の表示制御に用いられる前記メニュー画面の前記レイアウト情報をレイアウト記憶部に記憶し、
前記メニュー画面の前記配置領域に配置される前記配置画像を前記静的画像又は前記動的画像を含む画像に変更することを指示する変更指示を受け付け、前記変更指示に応じて、前記レイアウト記憶部に記憶される前記レイアウト情報を変更し、
前記レイアウト記憶部に記憶される前記レイアウト情報と、前記レイアウト情報で指定された配置画像であって前記画像記憶部に記憶される前記配置画像の画像データと、を用いて、前記メニュー画面を前記第２表示装置に表示させる制御を行う、
処理を実行させる、プログラム。
【０１４３】
（付記１５）
第１表示装置と、第２表示装置と、を備える表示システムにおける表示方法であって、
前記第２表示装置が、品目についての準静的に変化する情報又は変化しない情報を示す静的情報を表す静的画像と品目についての動的に変化する情報を示す動的情報を表す動的画像とを配置可能な配置領域を設けたメニュー画面を表示し、
前記第１表示装置が、前記メニュー画面と同じ配置領域が設けられた選択画面を表示した状態で、前記選択画面に設けられた配置画像のうちのいずれかの画像が選択されると、前記メニュー画面の前記配置領域に配置される配置画像であって前記選択された画像に対応する前記配置画像の置き換え候補である候補画像を提示する提示画面を表示し、
前記提示画面において候補画像が選択されると、前記第１表示装置に表示される前記選択画面の前記配置領域と、前記第２表示装置に表示される前記メニュー画面の前記配置領域と、が同じ表示内容となるように、前記第１表示装置が、前記選択画面の前記配置領域を更新させた選択画面を表示するとともに、前記第２表示装置が、前記メニュー画面の前記配置領域を更新させたメニュー画面を表示する、
表示方法。
【符号の説明】
【０１４４】
１００  表示システム
２００  選択装置
３００  受信装置
４００  管理装置
２１１，３１１，４１１，５１１  レイアウト記憶部
２１２，３１２，４１２，５１２  画像記憶部
２２１  提示部
２２２  選択受付部
２２３  変更指示部
３２１  出力部
４２１，５２１  変更部
４２２  登録画面提供部
４２３  登録受付部
４２４  格納指示部
４２５，５２５  格納部
４２６，５２６  転送部
【図１】
2019156156.tif 000003
【図２】
2019156156.tif 000004
【図３】
2019156156.tif 000005
【図４】
2019156156.tif 000006
【図５】
2019156156.tif 000007
【図６】
2019156156.tif 000008
【図７】
2019156156.tif 000009
【図８】
2019156156.tif 000010
【図９】
2019156156.tif 000011
【図１０】
2019156156.tif 000012
【図１１】
2019156156.tif 000013
【図１２】
2019156156.tif 000014
【図１３】
2019156156.tif 000015
【図１４】
2019156156.tif 000016
【図１５】
2019156156.tif 000017
【国際調査報告】
2019156156.tif 000018
2019156156.tif 000019
2019156156.tif 000020